(57)【要約】      （修正有）【課題】光ディスクからの情報再生を短時間で完了できるようにする。【解決手段】光ディスク１００に対して情報を記録する際、２本の青色光ビームＬｂ１及びＬｂ２の焦点Ｆｂ１及びＦｂ２をいずれも第１目標マーク位置ＰＳ１に合わせ干渉させることにより第１記録マークを形成する一方、光ディスク１００から情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより、光ディスク１００の記録層１０１内の互いに異なる位置にある第１の記録マーク及び第２の記録マークからそれぞれ青色再生光ビームＬｂ３及びＬｂ４を発生させて２系統の再生信号を得ることができ、これらを統合することにより２倍の再生速度でなる一つの再生信号を生成することができる。【選択図】図４
2008251132.tif 000002
【特許請求の範囲】
【請求項１】
ディスク状でなる体積型記録媒体の両面から第１及び第２の光を照射することにより記録された定在波を基に情報を再生する光ディスク装置において、
第１の対物レンズにより上記第１の光が上記体積型記録媒体内で結ぶ焦点の位置を当該第１の光の光軸方向に調整する第１の焦点位置調整手段と、
第２の対物レンズにより上記第２の光が上記体積型記録媒体内で結ぶ焦点の位置を当該第２の光の光軸方向に調整する第２の焦点位置調整手段と、
上記体積型記録媒体に上記定在波を記録する際、上記第１の光が上記体積型記録媒体内で焦点を結び、且つ上記第２の光が上記第１の光の焦点と同一位置に焦点を結ぶよう上記第１の焦点位置調整手段及び第２の焦点位置調整手段を制御し、上記体積型記録媒体の上記定在波を基に情報を再生する際、上記第１の光が上記体積型記録媒体内で結ぶ焦点と、上記第２の光が上記体積型記録媒体内で結ぶ焦点とが互いに異なる位置となるよう上記第１の焦点位置調整手段及び第２の焦点位置調整手段を制御することにより互いに異なる定在波から第１及び第２の再生光をそれぞれ発生させる制御手段と、
上記第１及び第２の再生光をそれぞれ検出する第１及び第２の検出手段と、
上記第１及び第２の検出手段による検出結果を統合することにより再生信号を生成する再生信号生成手段と
を具えることを特徴とする光ディスク装置。
【請求項２】
上記体積型記録媒体は、
上記情報が上記記録マークとして記録される際、上記情報が所定の記録単位ごとに分割され上記第１の光及び上記第２の光により上記互いに異なるマーク層の互いに対応する位置に分配して記録され、
上記再生信号生成手段は、
上記第１及び第２の検出手段による検出結果を結合することにより上記分割前の情報に相当する上記再生信号を生成する
ことを特徴とする請求項１に記載の光ディスク装置。
【請求項３】
上記体積型記録媒体は、
上記記録マークが記録される際、上記第１の光及び上記第２の光により上記互いに異なるマーク層の互いに対応する位置に同一の情報が記録され、
上記再生信号生成手段は、
上記第１及び第２の検出手段による検出結果に対して所定の誤り訂正処理を施すことにより上記再生信号を生成する
ことを特徴とする請求項１に記載の光ディスク装置。
【請求項４】
上記第１及び第２の検出手段は、
上記第１及び第２の再生光が混合された混合再生光を収束させ、上記第１又は第２の再生光の合焦位置に合わせて設けられたピンホールにより当該上記第１又は第２の再生光のうち一方を選別して検出する
ことを特徴とする請求項１に記載の光ディスク装置。
【請求項５】
所定の第３の光を上記第１の光と光軸を合わせ上記第１の対物レンズを介して上記体積型記録媒体へ照射し、上記体積型記録媒体に設けられた位置決め層からの戻り光を基に上記第１の対物レンズを位置制御する第１の位置制御手段
を具えることを特徴とする請求項１に記載の光ディスク装置。
【請求項６】
上記位置決め層は、上記記録マークの記録位置を表すトラックが形成され、
上記第１の位置制御手段は、上記戻り光を基に上記トラックを認識した上で上記対物レンズを位置制御する
ことを特徴とする請求項５に記載の光ディスク装置。
【請求項７】
上記第３の光は、上記第１及び第２の光と異なる波長でなり、
上記位置決め層は、波長選択性により上記第１及び第２の光を透過し、且つ上記第３の光を所定の割合で反射すると共に残りの割合で透過する
ことを特徴とする請求項５に記載の光ディスク装置。
【請求項８】
上記第３の光が上記位置決め層において透過された透過光を基に上記第２の対物レンズを位置制御する第２の位置制御手段
を具えることを特徴とする請求項７に記載の光ディスク装置。
【請求項９】
上記体積型記録媒体は、予めホログラムが形成された上で当該ホログラムが局所的に破壊されることにより上記記録マークが形成され、
上記第１及び第２の検出手段は、上記第１及び第２の再生光を検出しなかったときに上記記録マークが記録されていることを検出する
ことを特徴とする請求項１に記載の光ディスク装置。
【請求項１０】
上記体積型記録媒体は、一様に所定の反射率を有すると共に当該体積型記録媒体が局所的に変質され上記反射率が変化されることにより上記記録マークが形成され、
上記第１及び第２の検出手段は、上記反射率の変化に伴い変化する上記第１及び第２の再生光を検出する
ことを特徴とする請求項１に記載の光ディスク装置。
【請求項１１】
上記体積型記録媒体の上記記録層は、一様に所定の屈折率を有すると共に当該体積型記録媒体が局所的に変質され上記屈折率が変化されることにより上記記録マークが形成され、
上記第１及び第２の検出手段は、上記屈折率の変化に伴い変化する上記第１及び第２の再生光を検出する
ことを特徴とする請求項１に記載の光ディスク装置。
【請求項１２】
ディスク状でなり記録マークが複数のマーク層に渡り記録された体積型記録媒体に対し所定の光を照射することにより情報を再生する情報再生方法において、
第１の光が上記体積型記録媒体内で結ぶ焦点の位置を当該第１の光の光軸方向に調整すると共に第２の光が上記体積型記録媒体内で結ぶ焦点の位置を当該第２の光の光軸方向に調整することにより、同一の対物レンズを介した上記第１の光及び上記第２の光が上記体積型記録媒体内で互いに異なるマーク層の互いに対応する位置にそれぞれの焦点を合わせるよう制御し、上記互いに異なるマーク層の上記記録マークを基に第１及び第２の再生光をそれぞれ発生させる焦点制御ステップと、
上記第１及び第２の再生光をそれぞれ検出する検出ステップと、
上記検出ステップによる検出結果を統合することにより再生信号を生成する再生信号生成ステップと
を具えることを特徴とする情報再生方法。
【発明の詳細な説明】
【技術分野】
【０００１】
本発明は光ディスク装置及び情報再生方法に関し、例えば光ディスクにホログラムを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射することにより、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。
【０００８】
例えば図１に示すように、光ディスク装置１は、照射された光強度によって屈折率が変化するフォトポリマ等でなる光ディスク８中に、光学ヘッド７から一旦光ビームを集光し、その後光ディスク８の裏面側（図１では下側）に設けられた反射装置９を用いて、もう一度逆方向から光ビームを同一焦点位置に集光するようになされている。
【０００９】
光ディスク装置１は、レーザ２からレーザ光でなる光ビームを出射させ、音響光学変調器３によりその光波を変調し、コリメータレンズ４により平行光に変換する。続いて光ビームは、偏光ビームスプリッタ５を透過し、１／４波長板６により直線偏光から円偏光に変換されてから、光学ヘッド７へ入射される。
【００１０】
光学ヘッド７は、情報の記録及び再生を行い得るようになされており、光ビームをミラー７Ａにより反射し、対物レンズ７Ｂにより集光して、スピンドルモータ（図示せず）により回転されている光ディスク８に照射する。
【００１１】
このとき光ビームは、光ディスク８の内部で一旦合焦されてから、当該光ディスク８の裏面側に配置された反射装置９によって反射され、当該光ディスク８の裏面側から光ディスク８の内部における同一焦点に集光される。因みに反射装置９は、集光レンズ９Ａ、シャッタ９Ｂ、集光レンズ９Ｃ及び反射ミラー９Ｄにより構成されている。
【００１２】
この結果、図２（Ａ）に示すように、光ビームの焦点位置に定在波が生じ、全体的に２つの円錐体を互いの底面同士で貼り合わせたような形状でなる、光スポットサイズの小さなホログラムでなる記録マークＲＭを形成する。かくしてこの記録マークＲＭが情報として記録される。
【００１３】
光ディスク装置１は、光ディスク８の内部にこの記録マークＲＭを複数記録する際、当該光ディスク８を回転させ各記録マークＲＭを同心円状又は螺旋状のトラックに沿って配置することにより一つのマーク記録層を形成し、さらに光ビームの焦点位置を調整することにより、マーク記録層を複数層重ねるように各記録マークＲＭを記録することができる。
【００１４】
これにより光ディスク８は、内部に複数のマーク記録層を有する多層構造となる。例えば光ディスク８は、図２（Ｂ）に示すように、記録マークＲＭ間の距離（マークピッチ）ｐ１が１．５［μｍ］、トラック間の距離（トラックピッチ）ｐ２が２［μｍ］、層間の距離ｐ３が２２．５［μｍ］となっている。
【００１５】
また光ディスク装置１は、記録マークＲＭが記録されたディスク８から情報を再生する場合、反射装置９のシャッタ９Ｂを閉じ、光ディスク８の裏面側から光ビームを照射しないようにする。
【００１６】
このとき光ディスク装置１は、光学ヘッド７によって光ディスク８中の記録マークＲＭへ光ビームを照射し、当該記録マークＲＭから発生する再生光ビームを当該光学ヘッド７へ入射させる。この再生光ビームは、１／４波長板６により円偏光から直線偏光に変換され、偏光ビームスプリッタ５により反射される。さらに再生光ビームは、集光レンズ１０により集光され、ピンホール１１を介してフォトディテクタ１２へ照射される。
【００１７】
光ディスク装置１は、このときフォトディテクタ１２により再生光ビームの光量を検出し、その検出結果を基に情報を再生する。
【非特許文献１】Y.Kasami,Y.Kuroda, K.Seo, O.Kawakubo, S.Takagawa, M.Ono, and M.Yamada, Jpn. J. Appl.Phys., 39, 756(2000)
【非特許文献２】I.Ichimura etal, Technical Digest of ISOM’04, pp52,Oct.11-15, 2005, Jeju Korea
【非特許文献３】R. R. McLeod etal.,“Microholographicmultilayer optical disk data storage,” Appl. Opt., Vol. 44, 2005, pp3197
【発明の開示】
【発明が解決しようとする課題】
【００１８】
ところで近年では、光ディスク８に記録する情報量を増加させるのみでなく、その記録速度や再生速度を向上させることにより記録や再生に要する時間を短縮したいといった要望がある。この場合、光ディスク装置１は、光ディスク８の回転速度を上昇させ、又は記録マークＲＭの読み出しに要する時間を短縮することが考えられる。
【００１９】
しかしながら光ディスク装置１は、光ディスク８自体の強度やスピンドルモータの性能、或いはブレ等の観点から、回転速度の上昇には限界があり、また記録マークＲＭを読み出す際の光学的・物理的反応にある程度の時間を要することから、自ずと再生速度の上限が定められてしまう。
【００２０】
このため光ディスク装置１は、情報の再生に要する時間を短縮することが困難であるという問題があった。
【００２１】
本発明は以上の点を考慮してなされたもので、光ディスクからの情報再生を短時間で完了し得る光ディスク装置及び情報再生方法を提案しようとするものである。
【課題を解決するための手段】
【００２２】
かかる課題を解決するため本発明の光ディスク装置においては、ディスク状でなる体積型記録媒体の両面から第１及び第２の光を照射することにより記録された定在波を基に情報を再生する光ディスク装置において、第１の対物レンズにより第１の光が体積型記録媒体内で結ぶ焦点の位置を当該第１の光の光軸方向に調整する第１の焦点位置調整手段と、第２の対物レンズにより第２の光が体積型記録媒体内で結ぶ焦点の位置を当該第２の光の光軸方向に調整する第２の焦点位置調整手段と、体積型記録媒体に定在波を記録する際、第１の光が体積型記録媒体内で焦点を結び、且つ第２の光が第１の光の焦点と同一位置に焦点を結ぶよう第１の焦点位置調整手段及び第２の焦点位置調整手段を制御し、体積型記録媒体の定在波を基に情報を再生する際、第１の光が体積型記録媒体内で結ぶ焦点と、第２の光が体積型記録媒体内で結ぶ焦点とが互いに異なる位置となるよう第１の焦点位置調整手段及び第２の焦点位置調整手段を制御することにより互いに異なる定在波から第１及び第２の再生光をそれぞれ発生させる制御手段と、第１及び第２の再生光をそれぞれ検出する第１及び第２の検出手段と、第１及び第２の検出手段による検出結果を統合することにより再生信号を生成する再生信号生成手段とを設けるようにした。
【００２３】
これにより、情報を再生する際、第１及び第２の再生光を並行して検出することができるので、双方の検出結果を統合することにより光ディスクから情報を読み出す速度を高めることができる。
【００２４】
また本発明の情報再生方法においては、ディスク状でなり記録マークが複数のマーク層に渡り記録された体積型記録媒体に対し所定の光を照射することにより情報を再生する情報再生方法において、第１の光が体積型記録媒体内で結ぶ焦点の位置を当該第１の光の光軸方向に調整すると共に第２の光が体積型記録媒体内で結ぶ焦点の位置を当該第２の光の光軸方向に調整することにより、同一の対物レンズを介した第１の光及び第２の光が体積型記録媒体内で互いに異なるマーク層の互いに対応する位置にそれぞれの焦点を合わせるよう制御し、互いに異なるマーク層の記録マークを基に第１及び第２の再生光をそれぞれ発生させる焦点制御ステップと、第１及び第２の再生光をそれぞれ検出する検出ステップと、検出ステップによる検出結果を統合することにより再生信号を生成する再生信号生成ステップとを設けるようにした。
【００２５】
これにより、情報を再生する際、第１及び第２の再生光を並行して検出することができるので、双方の検出結果を統合することにより光ディスクから情報を読み出す速度を高めることができる。
【発明の効果】
【００２６】
本発明によれば、情報を再生する際、第１及び第２の再生光を並行して検出することができるので、双方の検出結果を統合することにより光ディスクから情報を読み出す速度を高めることができ、かくして光ディスクにからの情報再生を短時間で完了し得る光ディスク装置及び情報再生方法を実現できる。
【発明を実施するための最良の形態】
【００２７】
以下、図面について、本発明の一実施の形態を詳述する。
【００２８】
（１）第１の実施の形態
（１−１）光ディスクの構成
まず、第１の実施の形態における体積型記録媒体としての光ディスク１００について説明する。図３に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００２９】
また光ディスク１００は、図４（Ａ）に断面図を示すように、情報を記録するための記録層１０１を中心に有しており、基板１０２及び１０３により当該記録層１０１を両面から挟むように構成されている。
【００３０】
因みに記録層１０１の厚さｔ１は約０．３［ｍｍ］、基板１０２及び１０３の厚さｔ２及びｔ３はいずれも約０．６［ｍｍ］となるようになされている。
【００３１】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。
【００３２】
因みに光ディスク１００は、厚さ方向に関して記録層１０１を中心としたほぼ対称な構造となっており、全体として経年変化等による反りや歪み等の発生を極力抑えるようにも配慮されている。なお基板１０２及び１０３の表面については、無反射コーティングにより不要な反射が防止されるようになされていても良い。
【００３３】
記録層１０１は、光ディスク８（図１）と同様、照射された光強度によって屈折率が変化するフォトポリマ等でなり、波長４０５［ｎｍ］でなる青色光ビームに反応するようになされている。図４（Ａ）に示したように、比較的強い強度でなる２本の青色光ビームＬｂ１及びＬｂ２が記録層１０１内において干渉した場合、当該記録層１０１には定在波が生成されることになり、図２（Ａ）に示したようなホログラムとしての性質を有する干渉パターンが形成される。
【００３４】
さらに記録層１０１は、波長４０５［ｎｍ］でなる青色光ビームに関して、基板１０２及び１０３と同等の屈折率を呈するようになされており、記録層１０１と基板１０３との境界面等において当該青色光ビームを殆ど屈折させないようになされている。
【００３５】
また光ディスク１００は、記録層１０１と基板１０２との境界面に位置決め層としての反射透過膜１０４を有している。反射透過膜１０４は、誘電体多層膜等でなり、波長４０５［ｎｍ］でなる青色光ビームＬｂ１、Ｌｂ２及び青色再生光ビームＬｂ３を透過すると共に、波長６６０［ｎｍ］でなる赤色光ビームを約５０％の割合で透過し、約５０％の割合で反射するといった波長選択性を有している。
【００３６】
また反射透過膜１０４は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００３７】
なお反射透過膜１０４（すなわち記録層１０１と基板１０２との境界面）には、案内溝に代えてピット等が形成され、或いは案内溝とピット等とが組み合わされていても良い。
【００３８】
この反射透過膜１０４は、基板１０２側から赤色光ビームＬｒ１が照射された場合、その約半分を基板１０３側へ透過すると共に、その約半分を当該基板１０２側へ反射する。以下、このとき透過された光ビームを赤色透過光ビームＬｒ２と呼び、また反射された光ビームを赤色反射光ビームＬｒ３と呼ぶ。
【００３９】
この赤色反射光ビームＬｒ３は、例えば光ディスク装置において、目標とするトラック（以下、これを目標トラックと呼ぶ）に対して、所定の対物レンズＯＬ１により集光された赤色光ビームＬｒ１の焦点Ｆｒを合わせるための、当該対物レンズＯＬ１の位置制御（すなわちフォーカス制御及びトラッキング制御）に用いられることが想定されている。
【００４０】
因みに以下では、光ディスク１００の基板１０２側の面を第１面１００Ａと呼び、当該光ディスク１００の基板１０３側の面を第２面１００Ｂと呼ぶ。
【００４１】
実際上、光ディスク１００に情報が記録されるとき、図４（Ａ）に示したように、位置制御された対物レンズＯＬ１により赤色光ビームＬｒ１が集光され、反射透過膜１０４の目標トラックに合焦される。
【００４２】
また、当該赤色光ビームＬｒ１と光軸Ｌｘを共有し当該対物レンズＯＬ１により集光された青色光ビームＬｂ１が、基板１０２及び反射透過膜１０４を透過し、記録層１０１内における当該目標トラックの裏側（すなわち基板１０３側）に相当する位置に合焦される。このとき青色光ビームＬｂ１の焦点Ｆｂ１は、対物レンズＯＬ１を基準として、共通の光軸Ｌｘ上における焦点Ｆｒよりも遠方に位置することになる。
【００４３】
さらに、青色光ビームＬｂ１と同一波長でなり光軸Ｌｘを共有する青色光ビームＬｂ２が、当該青色光ビームＬｂ１の反対側（すなわち基板１０３側）から、対物レンズＯＬ１と同等の光学特性を有する対物レンズＯＬ２により集光され、照射されるようになされている。このとき当該青色光ビームＬｂ２の焦点Ｆｂ２は、当該対物レンズＯＬ２が位置制御されることにより、青色光ビームＬｂ１の焦点Ｆｂ１と同一の位置となるようになされている。
【００４４】
この結果、光ディスク１００には、記録層１０１内における目標トラックの裏側に相当する焦点Ｆｂ１及びＦｂ２の位置に、青色光ビームＬｂ１及びＬｂ２による定在波が生成され、比較的小さい干渉パターンでなる記録マークＲＭが記録される。
【００４５】
このとき記録層１０１内には、いずれも収束光でなる青色光ビームＬｂ１及びＬｂ２が重なり、且つ所定強度以上となった部分に定在波が生じ、記録マークＲＭが形成される。このため記録マークＲＭは、図２（Ａ）に示したように、全体的に２つの円錐体を互いの底面同士で貼り合わせたような形状となり、中央部（底面同士を貼り合わせた部分）が僅かにくびれている。
【００４６】
因みに、記録マークＲＭに関して、中央部におけるくびれ部分の直径ＲＭｒについては、青色光ビームＬｂ１及びＬｂ２の波長をλ［ｍ］、対物レンズＯＬ１及びＯＬ２の開口数をＮＡとすると、次に示す（１）式により求められる。
【００４７】
【数１】
2008251132.tif 000003
【００４８】
また記録マークＲＭの高さＲＭｈに関しては、対物レンズＯＬ１及びＯＬ２の屈折率をｎとすると、次に示す（２）式により求められる。
【００４９】
【数２】
2008251132.tif 000004
【００５０】
例えば、波長λを４０５［ｎｍ］、開口数ＮＡを０．５、屈折率ｎを１．５とすると、（１）式より直径ＲＭｒ＝０．９７［μｍ］、（２）式より高さＲＭｈ＝９．７２［μｍ］となる。
【００５１】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射膜１０４からの距離（以下、これを深さと呼ぶ）が切り換えられながら記録マークＲＭが記録されることにより、図２（Ｂ）に示したような、複数のマーク記録層を当該光ディスク１００の厚さ方向に重ねた多層記録を行い得るようになされている。
【００５２】
この場合、光ディスク１００の記録層１０１内において、青色光ビームＬｂ１及びＬｂ２の焦点Ｆｂ１及びＦｂ２の深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００５３】
一方、光ディスク１００は、情報が再生されるとき、図４（Ｂ）に示すように、当該情報を記録したときと同様に、対物レンズＯＬ１により集光された赤色光ビームＬｒ１が反射透過膜１０４の目標トラックに合焦されるよう、当該対物レンズＯＬ１が位置制御されるようになされている。
【００５４】
また光ディスク１００は、同一の対物レンズＯＬ１を介し基板１０２及び反射透過膜１０４を透過した青色光ビームＬｂ１の焦点Ｆｂ１が、記録層１０１内における当該目標トラックの「裏側」に相当し、かつ第１の目標深さとなる位置（以下、これを第１目標マーク位置ＰＳ１と呼ぶ）に合焦されるようになされている。
【００５５】
このとき第１目標マーク位置ＰＳ１に記録されている記録マークＲＭ（以下、これを第１記録マークＲＭ１と呼ぶ）は、ホログラムとしての性質により、青色再生光ビームＬｂ３を発生する。この青色再生光ビームＬｂ３は、第１記録マークＲＭ１の記録時に照射された青色光ビームＬｂ２と同等の光学特性を有しており、当該青色光ビームＬｂ２と同じ方向へ、すなわち記録層１０１内から基板１０２側へ発散しながら進むことになる。
【００５６】
かかる構成に加えて、光ディスク１００は、赤色光ビームＬｒ１が反射透過膜１０４において透過されてなる赤色透過光ビームＬｒ２を基に、対物レンズＯＬ２が位置制御されるようになされている。
【００５７】
また光ディスク１００は、対物レンズＯＬ２を介し基板１０３を透過した青色光ビームＬｂ２の焦点Ｆｂ２が、記録層１０１内における当該目標トラックの「裏側」に相当し、かつ第１の目標深さと異なる第２の目標深さとなる位置（以下、これを第２目標マーク位置ＰＳ２と呼ぶ）に合焦されるようになされている。
【００５８】
このとき第２目標マーク位置ＰＳ２に記録されている記録マークＲＭ（以下、これを第２記録マークＲＭ２と呼ぶ）は、第１記録マークＲＭと同様、ホログラムとしての性質により、青色再生光ビームＬｂ４を発生する。この青色再生光ビームＬｂ４は、第２記録マークＲＭ２の記録時に照射された青色光ビームＬｂ１と同等の光学特性を有しており、当該青色光ビームＬｂ１と同じ方向へ、すなわち記録層１０１内から基板１０３側へ発散しながら進むことになる。
【００５９】
このように光ディスク１００は、情報が記録される場合、位置制御用の赤色光ビームＬｒ１、情報記録用の青色光ビームＬｂ１及びＬｂ２が用いられることにより、記録層１０１内において焦点Ｆｂ１及びＦｂ２が重なる位置、すなわち反射透過膜１０４における目標トラックの裏側となり且つ目標深さとなる目標マーク位置に、当該情報として記録マークＲＭが形成されるようになされている。
【００６０】
また光ディスク１００は、記録済みの情報が再生される場合、位置制御用の赤色光ビームＬｒ１及び赤色透過光ビームＬｒ２並びに情報再生用の青色光ビームＬｂ１及びＬｂ２が用いられることにより、焦点Ｆｂ１及びＦｂ２の位置、すなわち第１目標マーク位置ＰＳ１及び第２目標マーク位置ＰＳ２にそれぞれ記録されている第１記録マークＲＭ１及び第２記録マークＲＭ２から、青色再生光ビームＬｂ３及びＬｂ４をそれぞれ発生させるようになされている。
【００６１】
（１−２）光ディスク装置の構成
次に、上述した光ディスク１００に対応した光ディスク装置２０について説明する。光ディスク装置２０は、図５に示すように、制御部２１により全体を統括制御するようになされている。
【００６２】
制御部２１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理等の各種処理を実行するようになされている。
【００６３】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１又は反射透過膜１０４に付されたアドレスのうち、記録情報を記録すべきアドレスを示す情報である。
【００６４】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００６５】
信号処理部２３は、供給された記録情報に対して所定の符号化処理や変調処理等の各種信号処理を施すことにより記録信号を生成し、これを光ピックアップ２６へ供給する。
【００６６】
光ピックアップ２６は、図６に示すように、側面略コ字状に構成されており、図４（Ａ）及び（Ｂ）に示したように、光ディスク１００に対して両面から焦点を合わせて光ビームを照射し得るようになされている。
【００６７】
光ピックアップ２６は、駆動制御部２２（図５）の制御に基づいてフォーカス制御及びトラッキング制御を行うことにより、光ディスク１００の記録層１０１又は反射透過膜１０４における記録アドレス情報により示されるトラック（以下、これを目標トラックと呼ぶ）に光ビームの照射位置を合わせ、信号処理部２３からの記録信号に応じた記録マークＲＭを記録するようになされている（詳しくは後述する）。
【００６８】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００６９】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００７０】
光ピックアップ２６は、駆動制御部２２（図４）の制御に基づいてフォーカス制御及びトラッキング制御を行うことにより、光ディスク１００の記録層１０１又は反射透過膜１０４における再生アドレス情報により示されるトラック（すなわち目標トラック）に光ビームの照射位置を合わせ、所定光量の光ビームを照射する。このとき光ピックアップ２６は、光ディスク１００における記録層１０１の記録マークＲＭから発生される再生光ビームを検出し、その光量に応じた検出信号を信号処理部２３へ供給するようになされている（詳しくは後述する）。
【００７１】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００７２】
このように光ディスク装置２０は、制御部２１によって光ピックアップ２６を制御することにより、光ディスク１００の記録層１０１における目標トラックに情報を記録し、また当該目標トラックから情報を再生するようになされている。
【００７３】
（１−３）光ピックアップの構成
次に、光ピックアップ２６の構成について説明する。図７に模式的に示すように、光ピックアップ２６は、多数の光学部品が設けられており、大きく分けて第１面位置制御光学系３０及び第２面位置制御光学系５０、並びに第１面情報光学系６０及び第２面情報光学系８０により構成されている。
【００７４】
（１−３−１）位置制御光学系の構成
第１面位置制御光学系３０及び第２面位置制御光学系５０は、赤色光ビームＬｒ１及び赤色透過光ビームＬｒ２を基に、主に対物レンズ３８及び５１の位置制御を行うようになされている。
【００７５】
（１−３−１−１）第１面位置制御光学系の構成
第１面位置制御光学系３０は、光ディスク１００の第１面１００Ａに対して赤色光ビームＬｒ１を照射し、当該光ディスク１００により当該赤色光ビームＬｒ１が反射されてなる赤色反射光ビームＬｒ３を受光するようになされている。
【００７６】
図７と対応する図８において、第１面位置制御光学系３０のレーザダイオード３１は、波長約６６０［ｎｍ］の赤色レーザ光を射出し得るようになされている。実際上レーザダイオード３１は、制御部２１（図５）の制御に基づいて発散光でなる所定光量の赤色光ビームＬｒ１を発射し、コリメータレンズ３２へ入射させる。コリメータレンズ３２は、赤色光ビームＬｒ１を発散光から平行光に変換しスリット３３を介して無偏光ビームスプリッタ３４へ入射させる。
【００７７】
無偏光ビームスプリッタ３４は、赤色光ビームＬｒ１を反射透過面３４Ａにおいて約５０％の割合で透過し、補正レンズ３５へ入射させる。補正レンズ３５及び３６は、赤色光ビームＬｒ１を一度発散させてから収束させ、ダイクロックプリズム３７へ入射させる。
【００７８】
ダイクロックプリズム３７の反射透過面３７Ｓは、光ビームの波長により透過率及び反射率が異なる、いわゆる波長選択性を有しており、赤色光ビームをほぼ１００％の割合で透過し、青色光ビームをほぼ１００％の割合で反射するようになされている。このためダイクロックプリズム３７は、当該反射透過面３７Ｓにおいて赤色光ビームＬｒ１を透過し、対物レンズ３８へ入射させる。
【００７９】
対物レンズ３８は、赤色光ビームＬｒ１を集光し、光ディスク１００の第１面１００Ａへ向けて照射する。このとき赤色光ビームＬｒ１は、図４（Ａ）に示したように、基板１０２を透過し反射透過膜１０４において反射され、赤色光ビームＬｒ１と反対方向へ向かう赤色反射光ビームＬｒ３となる。
【００８０】
因みに対物レンズ３８は、青色光ビームＬｂ１に最適化されて設計されており、赤色光ビームＬｒ１に関しては、スリット３３、補正レンズ３５及び３６との光学的な距離等の関係により、開口数（ＮＡ：Numerical Aperture）が０．４１の集光レンズとして作用することになる。
【００８１】
この後、赤色反射光ビームＬｒ３は、対物レンズ３８、ダイクロックプリズム３７、補正レンズ３６及び３５を順次透過して平行光にされた後、無偏光ビームスプリッタ３４へ入射される。
【００８２】
無偏光ビームスプリッタ３４は、赤色反射光ビームＬｒ３を約５０％の割合で反射することによりミラー４０へ照射し、当該ミラー４０により当該赤色反射光ビームＬｒ３を再度反射させた後、集光レンズ４１へ入射させる。
【００８３】
集光レンズ４１は、赤色反射光ビームＬｒ３を収束させ、シリンドリカルレンズ４２により非点収差を持たせた上で当該赤色反射光ビームＬｒ３をフォトディテクタ４３へ照射する。
【００８４】
ところで光ディスク装置２０では、回転する光ディスク１００における偏心や面ブレ等が発生する可能性があるため、第１面位置制御光学系３０に対する目標トラックの相対的な位置が変動する可能性がある。
【００８５】
このため、第１面位置制御光学系３０において赤色光ビームＬｒ１の焦点Ｆｒ（図４（Ａ））を目標トラックに追従させるには、当該焦点Ｆｒを光ディスク１００に対する近接方向又は離隔方向であるフォーカス方向及び光ディスク１００の内周側方向又は外周側方向であるトラッキング方向へ移動させる必要がある。
【００８６】
そこで対物レンズ３８は、２軸アクチュエータ３８Ａにより、フォーカス方向及びトラッキング方向の２軸方向へ駆動され得るようになされている。
【００８７】
第１面位置制御光学系３０（図８）では、対物レンズ３８により赤色光ビームＬｒ１が集光され光ディスク１００の反射透過膜１０４へ照射されるときの合焦状態が、集光レンズ４１により赤色反射光ビームＬｒ３が集光されフォトディテクタ４３に照射されるときの合焦状態に反映されるよう、各種光学部品の光学的位置が調整されている。
【００８８】
フォトディテクタ４３は、図９（Ａ）に示すように、赤色反射光ビームＬｒ３が照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射透過膜１０４（図３）に照射されるときの、トラックの走行方向に対応している。
【００８９】
フォトディテクタ４３は、検出領域４３Ａ、４３Ｂ、４３Ｃ及び４３Ｄにより赤色反射光ビームＬｒ３の一部をそれぞれ検出し、このとき検出した光量に応じて検出信号ＳＤＡ１、ＳＤＢ１、ＳＤＣ１及びＳＤＤ１をそれぞれ生成して、これらを信号処理部２３（図４）へ送出する。
【００９０】
信号処理部２３は、いわゆる非点収差法によるフォーカス制御を行うようになされており、次に示す（３）式に従ってフォーカスエラー信号ＳＦＥ１を算出し、これを駆動制御部２２へ供給する。
【００９１】
【数３】
2008251132.tif 000005
【００９２】
このフォーカスエラー信号ＳＦＥ１は、赤色光ビームＬｒ１の焦点Ｆｒと光ディスク１００の反射透過膜１０４とのずれ量を表すことになる。
【００９３】
また信号処理部２３は、いわゆるプッシュプル法によるトラッキング制御を行うようになされており、次に示す（４）式に従ってトラッキングエラー信号ＳＴＥ１を算出し、これを駆動制御部２２へ供給する。
【００９４】
【数４】
2008251132.tif 000006
【００９５】
このトラッキングエラー信号ＳＴＥ１は、赤色光ビームＬｒ１の焦点Ｆｒと光ディスク１００の反射透過膜１０４における目標トラックとのずれ量を表すことになる。
【００９６】
駆動制御部２２は、フォーカスエラー信号ＳＦＥ１を基にフォーカス駆動信号ＳＦＤ１を生成し、当該フォーカス駆動信号ＳＦＤ１を２軸アクチュエータ３８Ａへ供給することにより、赤色光ビームＬｒ１が光ディスク１００の反射透過膜１０４に合焦するよう、対物レンズ３８をフィードバック制御（すなわちフォーカス制御）する。
【００９７】
また駆動制御部２２は、トラッキングエラー信号ＳＴＥ１を基にトラッキング駆動信号ＳＴＤｒを生成し、当該トラッキング駆動信号ＳＴＤ１を２軸アクチュエータ３８Ａへ供給することにより、赤色光ビームＬｒ１が光ディスク１００の反射透過膜１０４における目標トラックに合焦するよう、対物レンズ３８をフィードバック制御（すなわちトラッキング制御）する。
【００９８】
このように第１面位置制御光学系３０は、赤色光ビームＬｒ１を光ディスク１００の反射透過膜１０４に照射し、その反射光である赤色反射光ビームＬｒ３の受光結果を信号処理部２３へ供給するようになされている。これに応じて駆動制御部２２は、当該赤色光ビームＬｒ１を当該反射透過膜１０４の目標トラックに合焦させるよう、対物レンズ３８のフォーカス制御及びトラッキング制御（以下、これらをまとめて位置制御とも呼ぶ）を行うようになされている。
【００９９】
（１−３−１−２）第２面位置制御光学系の構成
一方、第２面位置制御光学系５０は、赤色光ビームＬｒ１が光ディスク１００の反射透過膜１０４（図４（Ａ））を透過してなる赤色透過光ビームＬｒ２を基に、対物レンズ５１の位置制御を行うようになされている。
【０１００】
因みに対物レンズ５１は、２軸アクチュエータ５１Ａと一体に構成されており、当該２軸アクチュエータ５１Ａにより、対物レンズ３８と同様、光ディスク１００への近接方向又は離隔方向であるフォーカス方向と、光ディスク１００の内周側方向又は外周側方向であるトラッキング方向との２軸方向へ駆動され得るようになされている。
【０１０１】
赤色透過光ビームＬｒ２は、光ディスク１００の記録層１０１及び基板１０３を透過した後、発散光となり対物レンズ５１へ入射される。赤色透過光ビームＬｒ２は、当該対物レンズ５１によりほぼ平行光に変換され、ガルバノミラー５２により反射された後、リレーレンズ５３へ入射される。
【０１０２】
続いて赤色透過ビームＬｒ２は、リレーレンズ５３の固定レンズ５５によりある程度収束光に変換され、ダイクロックプリズム５６へ入射させる。
【０１０３】
ダイクロックプリズム５６の反射透過面５６Ｓは、ダイクロックプリズム３７の反射透過面３７Ｓと同様に波長選択性を有しており、赤色光ビームをほぼ１００％の割合で反射し、青色光ビームをほぼ１００％の割合で透過するようになされている。このためダイクロックプリズム５６は、反射透過面５６Ｓにおいて赤色透過光ビームＬｒ２を反射し、集光レンズ５７へ入射させる。
【０１０４】
集光レンズ５７は、赤色透過光ビームＬｒ２を収束させ、シリンドリカルレンズ５８により非点収差を持たせた上でフォトディテクタ５９へ照射する。
【０１０５】
ところで光ディスク１００は、上述したように面ブレ等を生じる可能性がある。このため対物レンズ３８は、上述したように、第１面位置制御光学系３０及び駆動制御部２２（図４）等により位置制御されるようになされている。
【０１０６】
このとき赤色透過光ビームＬｒ２の光軸Ｌｘは、対物レンズ３８の移動に伴って変化することになる。ここで対物レンズ５１は、仮に基準となる位置に固定されていた場合、赤色光ビームについての焦点を赤色光ビームＬｒ１の焦点Ｆｒ１から外すことになり、図４（Ａ）に示した青色光ビームＬｂ２の焦点Ｆｂ２を青色光ビームＬｂ１の焦点Ｆｂ１に一致させ得なくなってしまう。
【０１０７】
そこで第２面位置制御光学系５０では、対物レンズ５１の赤色光ビームに関する焦点と、反射透過膜１０４における赤色光ビームＬｒ１の焦点Ｆｒ１とのずれ量が、集光レンズ５７により赤色透過光ビームＬｒ２が集光されフォトディテクタ５９へ照射されるときの照射状態に反映されるよう、各種光学部品の光学的位置が調整されている。
【０１０８】
フォトディテクタ５９は、図９（Ｂ）に示すように、フォトディテクタ４３と同様、赤色透過光ビームＬｒ２が照射される面上に、格子状に分割された４つの検出領域５９Ａ、５９Ｂ、５９Ｃ及び５９Ｄを有している。因みに矢印ａ２により示される方向（図中の縦方向）は、赤色透過光ビームＬｒ２が照射されるときの、反射透過膜１０４（図４（Ａ））におけるトラックの走行方向に対応している。
【０１０９】
フォトディテクタ５９は、検出領域５９Ａ、５９Ｂ、５９Ｃ及び５９Ｄにより赤色透過光ビームＬｒ２の一部をそれぞれ検出し、このとき検出した光量に応じて検出信号ＳＤＡ２、ＳＤＢ２、ＳＤＣ２及びＳＤＤ２をそれぞれ生成して、これらを信号処理部２３（図４）へ送出する。
【０１１０】
信号処理部２３は、いわゆる非点収差法によるフォーカス制御を行うようになされており、次に示す（５）式に従ってフォーカスエラー信号ＳＦＥ２を算出し、これを駆動制御部２２へ供給する。
【０１１１】
【数５】
2008251132.tif 000007
【０１１２】
このフォーカスエラー信号ＳＦＥ２は、対物レンズ５１の赤色光ビームに関する焦点と、反射透過膜１０４における赤色光ビームＬｒ１の焦点Ｆｒとの間における、フォーカス方向に関するずれ量を表すことになる。
【０１１３】
また信号処理部２３は、プッシュプル信号を用いたトラッキング制御を行うようになされており、次に示す（６）式に従ってトラッキングエラー信号ＳＴＥ２を算出し、これを駆動制御部２２へ供給する。
【０１１４】
【数６】
2008251132.tif 000008
【０１１５】
このトラッキングエラー信号ＳＴＥ２は、対物レンズ５１の赤色光ビームに関する焦点と、反射透過膜１０４における赤色光ビームＬｒ１の焦点Ｆｒとの間における、トラッキング方向に関するずれ量を表すことになる。
【０１１６】
さらに信号処理部２３は、タンジェンシャル制御に必要なタンジェンシャルエラー信号も生成するようになされている。このタンジェンシャル制御とは、タンジェンシャル方向（すなわちトラックの接線方向）に関する、対物レンズ５１の赤色光ビームに関する焦点と、反射透過膜１０４における赤色光ビームＬｒ１の焦点Ｆｒとのずれを解消するための制御である。
【０１１７】
具体的に信号処理部２３は、プッシュプル信号を用いたタンジェンシャル制御を行うようになされており、次に示す（７）式に従ってタンジェンシャルエラー信号ＳＮＥ２を算出し、これを駆動制御部２２へ供給する。
【０１１８】
【数７】
2008251132.tif 000009
【０１１９】
このタンジェンシャルエラー信号ＳＮＥ２は、対物レンズ５１の赤色光ビームに関する焦点と、反射透過膜１０４における赤色光ビームＬｒ１の焦点Ｆｒとの間における、タンジェンシャル方向に関するずれ量を表すことになる。
【０１２０】
これに応じて駆動制御部２２は、フォーカスエラー信号ＳＦＥ２を基にフォーカス駆動信号ＳＦＤ２を生成し、当該フォーカス駆動信号ＳＦＤ２を２軸アクチュエータ５１Ａへ供給することにより、対物レンズ５１の赤色光ビームに関する焦点と、反射透過膜１０４における赤色光ビームＬｒ１の焦点Ｆｒとのずれ量を減少させるよう、対物レンズ５１をフォーカス制御するようになされている。
【０１２１】
また駆動制御部２２は、トラッキングエラー信号ＳＴＥ２を基にトラッキング駆動信号ＳＴＤ２を生成し、当該トラッキング駆動信号ＳＴＤ２を２軸アクチュエータ５１Ａへ供給することにより、対物レンズ５１の赤色光ビームに関する焦点と、反射透過膜１０４における赤色光ビームＬｒ１の焦点Ｆｒとのずれ量を減少させるよう、対物レンズ５１をトラッキング制御するようになされている。
【０１２２】
さらに駆動制御部２２は、タンジェンシャルエラー信号ＳＮＥ２を基にタンジェンシャル駆動信号ＳＮＤ２を生成し、当該タンジェンシャル駆動信号ＳＮＤ２をガルバノミラー５２へ供給することにより、対物レンズ５１の赤色光ビームに関する焦点と、反射透過膜１０４における赤色光ビームＬｒ１の焦点Ｆｒとのずれ量を減少させるよう、ガルバノミラー５２における反射面５２Ａの角度を調整する、タンジェンシャル制御を行うようになされている。
【０１２３】
このように第２面位置制御光学系５０は、光ディスク１００の第２面１００Ｂから対物レンズ５１へ入射される赤色透過光ビームＬｒ２を受光し、その受光結果を信号処理部２３へ供給するようになされている。これに応じて駆動制御部２２は、対物レンズ５１の赤色光ビームに関する焦点を、反射透過膜１０４における赤色光ビームＬｒ１の焦点Ｆｒと一致させるよう、対物レンズ５１のフォーカス制御及びトラッキング制御、並びにガルバノミラー５２によるタンジェンシャル制御（以下、これらをまとめて位置制御と呼ぶ）を行うようになされている。
【０１２４】
（１−３−２）情報光学系の構成
一方、第１面情報光学系６０及び第２面情報光学系８０は、主に青色光ビームＬｂ１及びＬｂ２を光ディスク１００へ照射すると共に、青色再生光ビームＬｂ３及びＬｂ４を検出するようになされている。
【０１２５】
（１−３−２−１）第１面における青色光ビームの照射
図７と対応する図１０において、第１面情報光学系６０のレーザダイオード６１は、波長約４０５［ｎｍ］の青色レーザ光を射出し得るようになされている。実際上レーザダイオード６１は、制御部２１（図５）の制御に基づいて発散光でなる青色光ビームＬｂ０を発射し、コリメータレンズ６２へ入射させる。コリメータレンズ６２は、青色光ビームＬｂ０を発散光から平行光に変換し、１／２波長板６３へ入射させる。
【０１２６】
このとき青色光ビームＬｂ０は、１／２波長板６４において偏光方向が所定角度回転されることにより、例えばｐ偏光成分とｓ偏光成分との比率がほぼ５０％ずつとなるように調整され、アナモプリズム６４により強度分布が整形された後、偏光ビームスプリッタ６５の面６５Ａに入射される。
【０１２７】
偏光ビームスプリッタ６５は、反射透過面６５Ｓにおいて、光ビームの偏光方向により異なる割合で当該光ビームを反射又は透過するようになされている。例えば反射透過面６５Ｓは、ｓ偏光の光ビームを反射すると共にｐ偏光の光ビームを透過するようになされている。
【０１２８】
実際上、偏光ビームスプリッタ６５は、反射透過面６５Ｓにより、青色光ビームＬｂ０のうち約５０％でなるｓ偏光成分を反射して青色光ビームＬｂ１とし、面６５Ｂから１／４波長板６６へ入射させると共に、残りの５０％でなるｐ偏光成分を透過して青色光ビームＬｂ２とし、面６５Ｄからシャッタ８１へ入射させる。
【０１２９】
１／４波長板６６は、青色光ビームＬｂ１を直線偏光から円偏光に変換して可動ミラー６７へ照射し、また当該可動ミラー６７により反射され青色光ビームＬｂ１を円偏光から直線偏光に変換し、再度偏光ビームスプリッタ６５の面６５Ｂへ入射させる。
【０１３０】
このとき青色光ビームＬｂ１は、例えば１／４波長板６６によりｓ偏光から左円偏光に変換され、可動ミラー６７により反射された際に左円偏光から右円偏光に変換された後、再度１／４波長板６６により右円偏光からｐ偏光に変換される。すなわち青色光ビームＬｂ１は、面６５Ｂから出射されたときと可動ミラー６７により反射された後に当該面６５Ｂに入射されるときとで、互いの偏光方向が異なることになる。
【０１３１】
偏光ビームスプリッタ６５は、面６５Ｂから入射された青色光ビームＬｂ１の偏光方向（ｐ偏光）に応じて、反射透過面６５Ｓにより当該青色光ビームＬｂ１をそのまま透過させ、面６５Ｃから偏光ビームスプリッタ６８へ入射させるようになされている。
【０１３２】
この結果、第１面情報光学系６０は、偏光ビームスプリッタ６５、１／４波長板６６及び可動ミラー６７により、青色光ビームＬｂ１の光路長を引き延ばすことになる。
【０１３３】
偏光ビームスプリッタ６８の反射透過面６８Ｓは、例えばｓ偏光の光ビームを反射すると共にｐ偏光の光ビームを透過するようになされている。実際上、偏光ビームスプリッタ６８は、反射透過面６８Ｓにおいて青色光ビームＬｂ１をそのまま透過させ、１／４波長板６９により直線偏光（ｐ偏光）から円偏光（右円偏光）に変換させた上で、リレーレンズ７０へ入射させる。
【０１３４】
リレーレンズ７０は、可動レンズ７１により青色光ビームＬｂ１を平行光から収束光に変換し、収束後に発散光となった当該青色光ビームＬｂ１を固定レンズ７２により再度収束光に変換し、ダイクロックプリズム３７へ入射させる。
【０１３５】
ここで可動レンズ７１は、アクチュエータ７１Ａにより青色光ビームＬｂ１の光軸方向に移動されるようになされている。実際上、リレーレンズ７０は、制御部２１（図５）の制御に基づきアクチュエータ７１Ａによって可動レンズ７１を移動させることにより、固定レンズ７２から出射される青色光ビームＬｂ１の収束状態を変化させ得るようになされている。
【０１３６】
ダイクロックプリズム３７は、青色光ビームＬｂ１の波長に応じて、反射透過面３７Ｓにより当該青色光ビームＬｂ１を反射し、これを対物レンズ３８へ入射させる。因みに青色光ビームＬｂ１は、反射透過面３７Ｓにおいて反射されるときに円偏光における偏光方向が反転され、例えば右円偏光から左円偏光に変換される。
【０１３７】
対物レンズ３８は、青色光ビームＬｂ１を集光し、光ディスク１００の第１面１００Ａへ照射する。因みに対物レンズ３８は、青色光ビームＬｂ１に関しては、リレーレンズ７０との光学的な距離等の関係により、開口数（ＮＡ）が０．５の集光レンズとして作用することになる。
【０１３８】
このとき青色光ビームＬｂ１は、図４（Ａ）に示したように、基板１０２及び反射透過膜１０４を透過し、記録層１０１内に合焦する。ここで当該青色光ビームＬｂ１の焦点Ｆｂ１の位置は、リレーレンズ７０の固定レンズ７２から出射される際の収束状態により定められることになる。すなわち焦点Ｆｂ１は、可動レンズ７１の位置に応じて記録層１０１内の第１面１００Ａ側又は第２面１００Ｂ側へ移動することになる。
【０１３９】
具体的に第１面情報光学系６０は、可動レンズ７１の移動距離と青色光ビームＬｂ１の焦点Ｆｂ１の移動距離とがほぼ比例関係となるように設計されており、例えば可動レンズ７１を１［ｍｍ］移動させると、青色光ビームＬｂ１の焦点Ｆｂ１が３０［μｍ］移動するようになされている。
【０１４０】
実際上、第１面情報光学系６０は、制御部２１（図５）により可動レンズ７１の位置が制御されることにより、光ディスク１００の記録層１０１内における青色光ビームＬｂ１の焦点Ｆｂ１（図３（Ｂ））の深さｄ１（すなわち反射透過膜１０４からの距離）を調整するようになされている。
【０１４１】
青色光ビームＬｂ１は、焦点Ｆｂ１に収束した後に発散光となり、記録層１０１及び基板１０３を透過し、第２面１００Ｂから出射されて、対物レンズ５１へ入射される（詳しくは後述する）。
【０１４２】
このように第１面情報光学系６０は、青色光ビームＬｂ１を光ディスク１００の第１面１００Ａ側から照射して記録層１０１内に当該青色光ビームＬｂ１の焦点Ｆｂ１を位置させ、さらにリレーレンズ７０における可動レンズ７１の位置に応じて、当該焦点Ｆｂ１の深さｄ１を調整するようになされている。なお、以下では、第１面情報光学系６０内を青色光ビームＬｂ１が辿る光路を青光路１と呼ぶ。
【０１４３】
（１−３−２−２）第２面における青色光ビームの照射
図７において、第１面情報光学系６０の偏光ビームスプリッタ６５は、上述したように、反射透過面６５Ｓにおいてｐ偏光でなる青色光ビームＬｂ０を約５０％の割合で透過し、これを青色光ビームＬｂ２として面６５Ｄからシャッタ８１へ入射させる。
【０１４４】
図７と対応する図１１において、第２面情報光学系８０のシャッタ８１は、制御部２１（図５）の制御に基づいて青色光ビームＬｂ２を遮断又は透過するようになされており、当該青色光ビームＬｂ２を透過した場合、偏光ビームスプリッタ８２へ入射させる。
【０１４５】
因みにシャッタ８１としては、例えば青色光ビームＬｂ２を遮断する遮断板を機械的に動かすことにより青色光ビームＬｂ２を遮断又は透過する機械式シャッタや、液晶パネルに印加する電圧を変化することにより当該青色光ビームＬｂ２を遮断又は透過する液晶シャッタ等を用いることができる。
【０１４６】
偏光ビームスプリッタ８２の反射透過面８２Ｓは、例えばｐ偏光の光ビームを約１００％の割合で透過し、ｓ偏光の光ビームを約１００％の割合で反射するようになされている。実際上、偏光ビームスプリッタ８２は、ｐ偏光でなる青色光ビームＬｂ２をそのまま透過させ、ミラー８３により反射させた後、１／４波長板８４により直線偏光（ｐ偏光）から円偏光（左円偏光）に変換させた上で、リレーレンズ５３へ入射させる。
【０１４７】
リレーレンズ５３は、リレーレンズ７０と同様に構成されており、可動レンズ７１、アクチュエータ７１Ａ及び固定レンズ７２とそれぞれ対応する可動レンズ５４、アクチュエータ５４Ａ及び固定レンズ５５を有している。
【０１４８】
リレーレンズ５３は、可動レンズ５４により青色光ビームＬｂ２を平行光から収束光に変換し、収束後に発散光となった当該青色光ビームＬｂ２を固定レンズ５５により再度収束光に変換し、光軸可変手段としてのガルバノミラー５２へ入射させる。
【０１４９】
またリレーレンズ５３は、リレーレンズ７０と同様、制御部２１（図５）の制御に基づきアクチュエータ５４Ａによって可動レンズ５４を移動させることにより、固定レンズ５５から出射される青色光ビームＬｂ２の収束状態を変化させ得るようになされている。
【０１５０】
ガルバノミラー５２は、青色光ビームＬｂ２を反射し、対物レンズ５１へ入射させる。因みに青色光ビームＬｂ２は、反射されるときに円偏光における偏光方向が反転され、例えば左円偏光から右円偏光に変換される。
【０１５１】
またガルバノミラー５２は、反射面５２Ａの角度を変化し得るようになされており、制御部２１（図５）の制御に従い反射面５２Ａの角度を調整することにより、青色光ビームＬｂ２の進行方向を調整し得るようになされている。
【０１５２】
対物レンズ５１は、青色光ビームＬｂ２を集光し、光ディスク１００の第２面１００Ｂへ照射する。この対物レンズは、対物レンズ３８と同様の光学特性を有しており、当該青色光ビームＬｂ２に関して、リレーレンズ５３との光学的な距離等の関係により、開口数（ＮＡ）が０．５の集光レンズとして作用することになる。
【０１５３】
このとき青色光ビームＬｂ２は、図４（Ａ）に示したように、基板１０３を透過して記録層１０１内に合焦する。ここで当該青色光ビームＬｂ２の焦点Ｆｂ２の位置は、リレーレンズ５３の固定レンズ５５から出射される際の収束状態により定められることになる。すなわち当該焦点Ｆｂ２は、青色光ビームＬｂ１の焦点Ｆｂ１と同様、可動レンズ５４の位置に応じて記録層１０１内の第１面１００Ａ側又は第２面１００Ｂ側へ移動することになる。
【０１５４】
具体的に第２面情報光学系８０は、第１面情報光学系６０と同様、可動レンズ５４の移動距離と青色光ビームＬｂ２の焦点Ｆｂ２の移動距離とがほぼ比例関係となるように設計されており、例えば可動レンズ５４を１［ｍｍ］移動させると、青色光ビームＬｂ２の焦点Ｆｂ２が３０［μｍ］移動するようになされている。
【０１５５】
実際上、第２面情報光学系８０は、制御部２１（図５）によってリレーレンズ７０における可動レンズ５４の位置と共にリレーレンズ５３における可動レンズ５４の位置が制御されることにより、光ディスク１００の記録層１０１内における青色光ビームＬｂ２の焦点Ｆｂ２（図４（Ａ））の深さｄ２を調整するようになされている。
【０１５６】
このとき光ディスク装置２０では、上述した第２面位置制御光学系５０（図８）の位置制御により、対物レンズ５１の赤色光ビームに関する焦点が赤色光ビームＬｒ１の焦点Ｆｒ、すなわち目標トラックを追従するようになされている。
【０１５７】
このとき対物レンズ５１から照射される青色光ビームＬｂ２の光軸Ｌｘは、対物レンズ３８から照射される赤色光ビームＬｒ１及び青色光ビームＬｂ１の光軸Ｌｘと一致することになる。
【０１５８】
すなわち第２面情報光学系８０は、青色光ビームＬｂ２の焦点Ｆｂ２が記録層１０１内における目標トラックと対応する位置（すなわち裏側）に合焦するよう、当該青色光ビームＬｂ２を照射することができる。
【０１５９】
ここで第２面情報光学系８０は、リレーレンズ５３の可動レンズ５４がリレーレンズ７０の可動レンズ７１と相補的に位置制御されていた場合、青色光ビームＬｂ２の焦点Ｆｂ２を青色光ビームＬｂ１の焦点Ｆｂ１に合わせることができる。
【０１６０】
なお青色光ビームＬｂ２は、焦点Ｆｂ２において合焦した後、発散しながら記録層１０１、反射透過膜１０４及び基板１０２を透過し、第１面１００Ａから出射されて、対物レンズ３８へ入射されるようになされている。
【０１６１】
このように第２面情報光学系８０は、青色光ビームＬｂ２を光ディスク１００の第２面１００Ｂ側から照射して記録層１０１内に当該青色光ビームＬｂ２の焦点Ｆｂ２を位置させ、さらにリレーレンズ５３における可動レンズ５４の位置に応じて、当該焦点Ｆｂ２の深さｄ２を調整するようになされている。なお、以下では、第２面情報光学系８０内を青色光ビームＬｂ２が辿る光路を青光路２と呼ぶ。
【０１６２】
（１−３−２−３）第１面における青色光ビームの受光
ところで光ディスク１００は、第２面情報光学系８０の対物レンズ５１から第２面１００Ｂへ照射される青色光ビームＬｂ２を透過し、第１面１００Ａから発散光として出射するようになされている（詳しくは後述する）。因みに青色光ビームＬｂ２は、円偏光（例えば右円偏光）となる。
【０１６３】
このとき第１面情報光学系６０では、図１１に示すように、青色光ビームＬｂ２が対物レンズ３８によりある程度収束された後、ダイクロックプリズム３７により反射され、リレーレンズ７０へ入射される。因みに青色光ビームＬｂ２は、反射透過面３７Ｓにおいて反射される際、円偏光における偏光方向が反転され、例えば右円偏光から左円偏光に変換される。
【０１６４】
続いて青色光ビームＬｂ２は、リレーレンズ７０の固定レンズ７２及び可動レンズ７１によって平行光に変換され、さらに１／４波長板６９により円偏光（左円偏光）から直線偏光（ｐ偏光）に変換された上で、偏光ビームスプリッタ６８へ入射される。
【０１６５】
偏光ビームスプリッタ６８は、青色光ビームＬｂ２の偏光方向に応じて反射透過面６８Ｓにより当該青色光ビームＬｂ２を反射し、集光レンズ７３へ入射させる。集光レンズ７３は、青色光ビームＬｂ２を集光し、ピンホール板７４を介してフォトディテクタ７５へ照射させる。
【０１６６】
ここで図１２（Ａ）に示すように、ピンホール板７４は、孔部７４Ｈが集光レンズ７３（図１０）により集光される青色再生光ビームＬｂ３の焦点から離隔されるよう配置されているため、当該青色光ビームＬｂ２をほぼ遮断することになる。この結果、フォトディテクタ７５は、青色光ビームＬｂ２の光量を殆ど検出することがない。
【０１６７】
一方、光ディスク１００は、記録層１０１に第１記録マークＲＭ１が記録されていた場合、上述したように、青色光ビームＬｂ１の焦点Ｆｂ１が当該第１記録マークＲＭ１に合焦されると、ホログラムとしての性質により、当該第１記録マークＲＭ１から青色再生光ビームＬｂ３を発生することになる。
【０１６８】
この青色再生光ビームＬｂ３は、ホログラムの原理上、当該第１記録マークＲＭ１が記録された際に青色光ビームＬｂ１の他に照射されていた光ビーム、すなわち青色光ビームＬｂ２を再現したものとなる。従って青色再生光ビームＬｂ３は、第１面情報光学系６０内において青色光ビームＬｂ２と同様の光路を経ることにより、最終的にフォトディテクタ７５へ照射される。
【０１６９】
この場合、図１２（Ａ）に示したように、ピンホール板７４は、集光レンズ７３（図１０）により集光される青色再生光ビームＬｂ３の焦点を孔部７４Ｈ内に位置させるよう配置されているため、当該青色再生光ビームＬｂ３をそのまま通過させることになる。
【０１７０】
この結果、フォトディテクタ７５は、青色光ビームＬｂ２の影響を受けることなく、青色再生光ビームＬｂ３の光量に応じた検出信号ＳＤ３を生成し、これを信号処理部２３（図５）へ供給するようになされている。
【０１７１】
この場合、再生検出信号ＳＤ３は、光ディスク１００に記録マークＲＭとして記録されている情報を表すものとなる。このため信号処理部２３は、再生検出信号ＳＤ３に対して所定の復調処理や復号化処理等を施すことにより再生情報を生成し、この再生情報を制御部２１へ供給するようになされている。
【０１７２】
このように第１面情報光学系６０は、光ディスク１００の第１面１００Ａから対物レンズ３８へ入射される青色再生光ビームＬｂ３を受光し、その受光結果を信号処理部２３へ供給するようになされている。なお、以下では、第１面情報光学系６０内を青色再生光ビームＬｂ３が辿る光路を青光路３と呼ぶ。
【０１７３】
（１−３−２−４）第２面における青色光ビームの受光
ところで第１面情報光学系６０（図１０）の対物レンズ３８から照射された青色光ビームＬｂ１は、上述したように、光ディスク１００の記録層１０１内において一度収束した後、発散光となり対物レンズ５１へ入射される。
【０１７４】
このとき第２面情報光学系８０では、青色光ビームＬｂ１が対物レンズ５１によりある程度収束された後、ガルバノミラー５２により反射されて、リレーレンズ５３へ入射される。因みに青色光ビームＬｂ１は、反射面７８Ｓにおいて反射される際、円偏光における偏光方向が反転され、例えば左円偏光から右円偏光に変換される。
【０１７５】
続いて青色光ビームＬｂ１は、リレーレンズ５３の固定レンズ５５を介してダイクロックプリズム５６の面５６Ａに入射される。ここでダイクロックプリズム５６は、反射透過面５６Ｓの波長選択性により、青色光ビームＬｂ１を透過し、面５４Ｃから出射させて可動レンズ５４へ入射させる。
【０１７６】
その後青色光ビームＬｂ１は、可動レンズ５４によって平行光に変換され、さらに１／４波長板８４により円偏光（右円偏光）から直線偏光（ｓ偏光）に変換された後、ミラー８３により反射されてから、偏光ビームスプリッタ８２へ入射される。
【０１７７】
偏光ビームスプリッタ８２は、青色光ビームＬｂ１の偏光方向に応じて当該青色光ビームＬｂ１を反射し、集光レンズ８５へ入射させる。集光レンズ８５は、青色光ビームＬｂ１を収束させ、ピンホール板８６を介してフォトディテクタ８７へ照射する。
【０１７８】
ここで図１２（Ｂ）に示すように、ピンホール板８６は、孔部８６Ｈが集光レンズ８５（図１１）により集光される再生光ビームＬｂ１の焦点から離隔されるよう配置されているため、当該青色光ビームＬｂ１をほぼ遮断することになる。この結果、フォトディテクタ８７は、青色光ビームＬｂ１の光量を殆ど検出することがない。
【０１７９】
一方、光ディスク１００は、記録層１０１に第２記録マークＲＭ２が記録されていた場合、上述したように、青色光ビームＬｂ２の焦点Ｆｂ２が当該第２記録マークＲＭ２に合焦されると、ホログラムとしての性質により、当該第２記録マークＲＭ２から青色再生光ビームＬｂ４を発生することになる。
【０１８０】
この青色再生光ビームＬｂ４は、ホログラムの原理上、当該第２記録マークＲＭ２が記録された際に青色光ビームＬｂ２の他に照射されていた光ビーム、すなわち青色光ビームＬｂ１を再現したものとなる。従って青色再生光ビームＬｂ４は、第２面情報光学系８０内において青色光ビームＬｂ１と同様の光路を経ることにより、最終的にフォトディテクタ８７へ照射される。
【０１８１】
この場合、図１２（Ｂ）に示したように、ピンホール板８６は、集光レンズ８５（図１１）により集光される青色再生光ビームＬｂ４の焦点を孔部８６Ｈ内に位置させるよう配置されているため、当該青色再生光ビームＬｂ４をそのまま通過させることになる。
【０１８２】
この結果、フォトディテクタ８７は、フォトディテクタ７５の場合と同様、青色光ビームＬｂ１の影響を受けることなく、青色再生光ビームＬｂ４の光量に応じた検出信号ＳＤ４を生成し、これを信号処理部２３（図５）へ供給するようになされている。
【０１８３】
この場合、再生検出信号ＳＤ４は、光ディスク１００に記録マークＲＭとして記録されている情報を表すものとなる。このため信号処理部２３は、再生検出信号ＳＤ４に対して所定の復調処理や復号化処理等を施すことにより再生情報を生成し、この再生情報を制御部２１へ供給するようになされている。
【０１８４】
このように第２面情報光学系８０は、光ディスク１００の第２面１００Ｂから対物レンズ５１へ入射される青色再生光ビームＬｂ４を受光し、その受光結果を信号処理部２３へ供給するようになされている。なお、以下では、第２面情報光学系８０内を青色再生光ビームＬｂ２が辿る光路を青光路４と呼ぶ。
【０１８５】
（１−３−３）光路長の調整
ところで光ディスク装置２０の光ピックアップ２６は、情報を記録する際、上述したように、偏光ビームスプリッタ６５（図９）により、青色光ビームＬｂ０から青色光ビームＬｂ１及びＬｂ２を分離し、光ディスク１００の記録層１０１内で当該青色光ビームＬｂ１及びＬｂ２を互いに干渉させることにより、当該記録層１０１内の目標マーク位置に記録マークＲＭを記録させるようになされている。
【０１８６】
この青色光ビームＬｂ０を出射するレーザダイオード６１は、一般的なホログラムの形成条件に従い、光ディスク１００の記録層１０１にホログラムとしての記録マークＲＭが正しく記録されるために、当該青色光ビームＬｂ０のコヒーレント長をホログラムサイズ（すなわち記録マークＲＭの高さＲＭｈ）以上とする必要がある。
【０１８７】
実際上レーザダイオード６１では、一般的なレーザダイオードと同様、このコヒーレント長が、当該レーザダイオード６１内に設けられた共振器（図示せず）の長さに当該共振器の屈折率を乗じた値にほぼ相当するため、およそ１００［μｍ］から１［ｍｍ］程度であると考えられる。
【０１８８】
一方、光ピックアップ２６では、青色光ビームＬｂ１が第１面情報光学系６０（図１０）内の光路を通り、光ディスク１００の第１面１００Ａ側から照射されると共に、青色光ビームＬｂ２が第２面情報光学系８０（図１１）内の光路を通り、光ディスク１００の第２面１００Ｂ側から照射される。すなわち光ピックアップ２６では、青色光ビームＬｂ１及びＬｂ２の光路が互いに異なっているため、その光路長（すなわちレーザダイオード６１から目標マーク位置までの光路の長さ）に差が生じることになる。
【０１８９】
さらに光ピックアップ２６では、上述したように、リレーレンズ７０及び５３における可動レンズ７１及び５４の位置を調整することにより、光ディスク１００の記録層１０１内における目標マーク位置の深さ（目標深さ）を変更するようになされている。このとき光ピックアップ２６は、目標マーク位置の深さを変更することにより、結果的に青色光ビームＬｂ１及びＬｂ２の光路長をそれぞれ変化させることになる。
【０１９０】
しかしながら、光ピックアップ２６において干渉パターンが形成されるには、一般的なホログラムの形成条件により、当該青色光ビームＬｂ１及びＬｂ２における光路長の差がコヒーレント長（すなわちおよそ１００［μｍ］から１［ｍｍ］）以下となる必要がある。
【０１９１】
そこで制御部２１（図５）は、可動ミラー６７の位置を制御することにより、青色光ビームＬｂ１の光路長を調整するようになされている。この場合、制御部２１は、リレーレンズ７０における可動レンズ７１の位置と第１目標マーク位置の深さとの関係を利用し、当該可動レンズ７１の位置に応じて可動ミラー６７を移動させることにより、当該青色光ビームＬｂ１の光路長を変化させるようになされている。
【０１９２】
この結果、光ピックアップ２６では、青色光ビームＬｂ１及びＬｂ２における光路長の差をコヒーレント長以下に抑えることができ、記録層１０１内の第１目標マーク位置ＰＳ１に良好なホログラムでなる第１記録マークＲＭ１を記録することができる。
【０１９３】
このように光ディスク装置２０の制御部２１は、可動ミラー６７の位置を制御することにより、光ピックアップ２６内の青色光ビームＬｂ１及びＬｂ２における光路長の差をコヒーレント長以下に抑え、この結果として光ディスク１００の記録層１０１内における目標マーク位置に良好な記録マークＲＭを記録し得るようになされている。
【０１９４】
（１−４）情報の記録及び再生
（１−４−１）光ディスクに対する情報の記録
光ディスク１００に情報を記録する場合、光ディスク装置２０の制御部２１（図５）は、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０１９５】
このとき駆動制御部２２は、光ピックアップ２６の第１面位置制御光学系３０（図８）により赤色光ビームＬｒ１を光ディスク１００の第１面１００Ａ側から照射させ、その反射光である赤色反射光ビームＬｒ３の検出結果を基に、対物レンズ３８のフォーカス制御及びトラッキング制御（すなわち位置制御）を行うことにより、赤色光ビームＬｒ１の焦点Ｆｒを記録アドレス情報に対応した目標トラックに追従させる。
【０１９６】
このとき青色光ビームＬｂ１の焦点Ｆｂ１は、位置制御された対物レンズ３８によって集光されることにより、目標トラックの裏側に位置することになる。
【０１９７】
さらに制御部２１は、リレーレンズ７０における可動レンズ７１の位置を調整することにより、当該焦点Ｆｂ１（図４（Ａ））の深さｄ１を目標深さに調整する。この結果、青色光ビームＬｂ１の焦点Ｆｂ１は、第１目標マーク位置ＰＳ１に合わされる。
【０１９８】
一方、制御部２１は、第２面情報光学系８０（図１１）のシャッタ８１を制御して青色光ビームＬｂ２を透過させ、当該青色光ビームＬｂ２を光ディスク１００の第２面１００Ｂ側から照射させる。
【０１９９】
また制御部２１は、第２面位置制御光学系５０（図８）により光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒと一致させる。
【０２００】
このとき青色光ビームＬｂ２の焦点Ｆｂ２は、位置制御された対物レンズ５１によって集光されることにより、青色光ビームＬｂ１の焦点Ｆｂ１と同様、目標トラックの裏側に位置することになる。
【０２０１】
また制御部２１は、リレーレンズ７０における可動レンズ７１の位置に合わせてリレーレンズ５３における可動レンズ５４の位置を調整することにより、青色光ビームＬｂ２（図４（Ａ））の深さｄ２を調整する。この結果、青色光ビームＬｂ２の焦点Ｆｂ２は、第２目標マーク位置ＰＳ２に合わされる。
【０２０２】
ここで制御部２１は、リレーレンズ７０及び５３の可動レンズ７１及び５４の位置を互いに相補的な位置に調整することにより、青色光ビームＬｂ２の焦点Ｆｂ２を青色光ビームＬｂ１における焦点Ｆｂ１に合わせる。
【０２０３】
そのうえ制御部２１は、リレーレンズ７０における可動レンズ５４の位置に応じて可動ミラー６７の位置を調整し、青色光ビームＬｂ１及びＬｂ２における光路長の差をコヒーレント長以下に抑える。
【０２０４】
かくして光ディスク装置２０の制御部２１は、光ディスク１００の記録層１０１内の第１目標マーク位置ＰＳ１に対して、青色光ビームＬｂ１及びＬｂ２の干渉による第１記録マークＲＭ１を良好に形成させることができる。
【０２０５】
ここで信号処理部２３（図４）は、外部機器（図示せず）等から供給される記録情報を基に、例えば値「０」又は「１」のバイナリデータを表す記録信号を生成する。これに応じてレーザダイオード６１は、例えば記録信号が値「１」である時に青色光ビームＬｂ０を出射し、記録信号が値「０」である時に青色光ビームＬｂ０を出射しないようになされている。
【０２０６】
これにより光ディスク装置２０では、記録信号が値「１」のときには光ディスク１００の記録層１０１内の第１目標マーク位置ＰＳ１に第１記録マークＲＭ１を形成し、当該記録信号が値「０」のときには当該第１目標マーク位置ＰＳ１に当該第１記録マークＲＭＲＭ１を形成しないことになるため、当該第１記録マークＲＭ１の有無により当該第１目標マーク位置ＰＳ１に記録信号の値「１」又は「０」を記録することができ、結果的に記録情報を光ディスク１００の記録層１０１に記録することができる。
【０２０７】
（１−４−２）光ディスクからの情報の再生
光ディスク１００から情報を再生する場合、光ディスク装置２０の制御部２１（図５）は、情報の記録時と同様に、光ピックアップ２６の第１面位置制御光学系３０（図８）により赤色光ビームＬｒ１を光ディスク１００の第１面１００Ａ側から照射させ、その反射光である赤色反射光ビームＬｒ３の検出結果を基に、駆動制御部２２により対物レンズ３８のフォーカス制御及びトラッキング制御（すなわち位置制御）を行わせる。
【０２０８】
また制御部２１は、第２面位置制御光学系５０（図８）により光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒ１と一致させる。
【０２０９】
さらに制御部２１は、第１面情報光学系６０（図１０）により青色光ビームＬｂ１を光ディスク１００の第１面１００Ａ側から照射させる。このとき青色光ビームＬｂ１の焦点Ｆｂ１は、位置制御された対物レンズ３８によって集光されることにより、目標トラックの裏側に位置することになる。
【０２１０】
さらに制御部２１は、リレーレンズ７０における可動レンズ７１の位置を調整することにより、青色光ビームＬｂ１の焦点Ｆｂ１を第１目標マーク位置ＰＳ１に合わせる。
【０２１１】
因みに制御部２１は、再生時におけるレーザダイオード６１の出射パワーを抑えることにより、青色光ビームＬｂ１による記録マークＲＭの誤消去を防止するようになされている。
【０２１２】
そのうえ制御部２１は、第２面情報光学系８０（図１０）により青色光ビームＬｂ２を光ディスク１００の第２面１００Ｂ側から照射させる。このとき青色光ビームＬｂ２の焦点Ｆｂ２は、位置制御された対物レンズ５１によって集光されることにより、目標トラックの裏側に位置することになる。
【０２１３】
さらに制御部２１は、リレーレンズ５３における可動レンズ５４の位置をリレーレンズ７０における可動レンズ７１の位置と独立に調整することにより、青色光ビームＬｂ２の焦点Ｆｂ２を第１目標マーク位置ＰＳ１と異なる第２目標マーク位置ＰＳ２に合わせる。
【０２１４】
すなわち光ピックアップ２６は、光ディスク１００の記録層１０１内における第１目標マーク位置ＰＳ１及び第２目標マーク位置ＰＳ２に対して、いわゆる参照光としての青色光ビームＬｂ１及びＬｂ２を両面から照射する。これに応じて、第１目標マーク位置ＰＳ１及び第２目標マーク位置ＰＳ２に第１記録マークＲＭ１及び第２記録マークＲＭ２がそれぞれ記録されていた場合、ホログラムとしての作用により、青色再生光ビームＬｂ３及びＬｂ４を第１面１００Ａ側及び第２面１００Ｂ側へそれぞれ発生させる。
【０２１５】
このとき光ディスク装置２０は、第１面情報光学系６０及び第２面情報光学系８０によって青色再生光ビームＬｂ３及び青色再生光ビームＬｂ４の光量をそれぞれ検出することにより、検出信号ＳＤ３及びＳＤ４をそれぞれ生成する。
【０２１６】
一方光ディスク装置２０は、第１目標マーク位置ＰＳ１に第１記録マークＲＭ１が記録されていなかった場合、当該第１目標マーク位置ＰＳ１からは青色再生光ビームＬｂ３が発生しないため、第１面情報光学系６０により、当該青色再生光ビームＬｂ３を受光しなかったことを示す検出信号ＳＤ３を生成することになる。
【０２１７】
同様に光ディスク装置２０は、第２目標マーク位置ＰＳ２に第２記録マークＲＭ２が記録されていなかった場合、当該第２目標マーク位置ＰＳ２からは青色再生光ビームＬｂ４が発生しないため、第２面情報光学系８０により、当該青色再生光ビームＬｂ４を受光しなかったことを示す検出信号ＳＤ４を生成することになる。
【０２１８】
その後信号処理部２３は、検出信号ＳＤ３及びＳＤ４に対してそれぞれ上述した復調処理や復号化処理等の各種信号処理を施すことによりそれぞれ再生情報を生成し、これら再生情報を制御部２１へ供給する。
【０２１９】
制御部２１は、所定の情報統合処理によって複数の再生情報を一つの再生情報に統合した上で外部機器（図示せず）へ送出するようになされている。この結果、光ディスク装置２０は、青色再生光ビームＬｂ３及びＬｂ４によりそれぞれ通常の再生速度で再生するだけで、見かけ上、２倍の再生速度を得ることができる。
【０２２０】
なお光ディスク装置２０は、例えば液晶パネル８１を制御して青色光ビームＬｂ２を遮断することにより、敢えて青色光ビームＬｂ１および青色再生光ビームＬｂ３により得られる１系統の再生情報のみを基に情報を再生するようにしても良い。
【０２２１】
（１−５）動作及び効果
以上の構成において第１の実施の形態による光ディスク装置２０の制御部２１は、光ディスク１００に情報を記録する際及び当該光ディスク１００から情報を再生する際、光ピックアップ２６の第１面位置制御光学系３０（図８）により赤色光ビームＬｒ１を光ディスク１００の第１面１００Ａ側から照射させ、その反射光である赤色反射光ビームＬｒ３の検出結果を基に、対物レンズ３８のフォーカス制御及びトラッキング制御（すなわち位置制御）を行うことにより、赤色光ビームＬｒ１の焦点Ｆｒを記録アドレス情報に対応した目標トラックに追従させる。
【０２２２】
また制御部２１は、第２面位置制御光学系５０（図８）により、光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒと一致させる。
【０２２３】
さらに制御部２１は、光ディスク１００に対して情報を記録する際、２本の青色光ビームＬｂ１（図１０）及びＬｂ２（図１１）を用い、リレーレンズ７０及び５３の可動レンズ７１及び５４の位置を相補的に制御し、当該青色光ビームＬｂ１及びＬｂ２の焦点Ｆｂ１及びＦｂ２をいずれも第１目標マーク位置ＰＳ１に合わせることにより（図４（Ａ））、光ディスク１００の記録層１０１内に第１記録マークＲＭ１を形成する。
【０２２４】
一方、制御部２１は、光ディスク１００から情報を再生する際、リレーレンズ７０及び５３の可動レンズ７１及び５４の位置を互いに独立して制御し、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより（図４（Ｂ））、光ディスク１００の記録層１０１内において深さｄ１及びｄ２に位置する第１記録マークＲＭ１及び第２記録マークＲＭ２からそれぞれ青色再生光ビームＬｂ３及びＬｂ４を発生させる。
【０２２５】
このとき制御部２１は、フォトディテクタ７５及び８７によりそれぞれ青色再生光ビームＬｂ３及びＬｂ４の光量を検出し、所定の信号処理を施して得られた２系統の再生信号を統合することにより、２倍の再生速度でなる一つの再生信号を生成する。
【０２２６】
従って光ディスク装置２０の制御部２１は、情報の記録時には、ホログラムを利用した情報記録の原理的な制約により同時に一つの記録マークＲＭしか記録し得ないものの、情報の再生時には、同時に２つの記録マーク、すなわち第１記録マークＲＭ１及び第２記録マークＲＭ２からそれぞれ青色再生光ビームＬｂ３及びＬｂ４を発生させて２系統の再生信号を並行して得ることができ、これらを統合して２倍速の再生信号を得ることができる。
【０２２７】
このとき制御部２１は、情報の記録時に互いに相補的となるよう位置制御するリレーレンズ７０及び５３の可動レンズ７１及び５４を、情報の再生時にそれぞれ互いに独立して位置制御するだけで、青色光ビームＬｂ１及びＬｂ２の焦点Ｆｂ１及びＦｂ２をそれぞれ所望の第１記録マークＲＭ１及び第２記録マークＲＭ２に合焦させることができるため、当該焦点Ｆｂ１及びＦｂ２を互いに独立して調整するための光学部品等を追加せずに済む。
【０２２８】
これにより光ディスク装置２０は、光ディスク１００の物理的な強度や高速回転時における面ブレ等により、光ディスク１００の回転速度に上限があり情報の再生速度の上限が必然的に定められてしまうような場合であっても、２系統の情報を同時に読み出し統合することにより、見かけ上の再生速度を約２倍に向上させることができる。
【０２２９】
本来、光ディスク装置２０は、光ディスク１００に対して記録マークＲＭを記録する際、原理的に２系統の青色光ビームＬｂ１及びＬｂ２が必要となるため、予め青光路１及び青光路２のように２系統の光学系を有している。このため光ディスク装置２０は、２系統同時再生を行うために、改めて光学系を増設する必要が無く、一方の光学系のみを用いて情報を再生する場合に使用していなかった他方の光学系を有効活用することができる。
【０２３０】
因みに光ディスク装置２０の制御部２１は、例えば情報の記録時に、記録すべき情報を２系統に分解しておき、同一の目標トラックにおける異なる深さとなる目標マーク位置に、分解後の互いに対応する情報をそれぞれ記録しておくことにより、再生時に得られる２系統の情報を統合して元の情報を得ることができる。
【０２３１】
さらに光ディスク１００は、トラックが形成されている反射透過膜１０４が波長選択性を有するため、赤色光ビームＬｒ１を約半分の割合で反射すると共に約半分の割合で透過させることができ、さらに青色光ビームＬｂ１及びＬｂ２並びに青色再生光ビームＬｂ３及びＬｂ４を高い透過率で透過させることができる。
【０２３２】
これに応じて光ディスク装置２０は、第１面位置制御光学系３０及び第２面位置制御光学系５０（図８）により赤色反射光ビームＬｒ３及び赤色透過光ビームＬｒ２をそれぞれ受光することができ、赤色光ビームＬｒ１の焦点Ｆｒ及び対物レンズ５１の赤色光ビームに関する焦点をいずれも目標トラックに追従させるよう、対物レンズ３８及び５１を位置制御することができる。
【０２３３】
ところで、本願発明と同一発明者及び同一出願人による特許出願（特願２００６−２４９８０４）のように、光ディスク１００を透過した後の青色光ビームＬｂ１を受光して対物レンズ５１の位置制御を行う場合、例えば記録すべき符号が値「０」であり記録マークＲＭを形成しないときには青色光ビームＬｂ１が照射されないために、一時的に対物レンズ５１の位置制御を行い得なくなってしまう。特に値「０」が暫く連続するような場合には、対物レンズ５１の位置制御を長期間行い得ないために、当該対物レンズ５１が理想的な位置から大きく外れてしまう可能性もあった。
【０２３４】
これに対して本願発明の光ディスク装置２０は、所定光量で照射される位置制御専用の赤色光ビームＬｒ１に基づく赤色透過光ビームＬｒ２を用いて対物レンズ５１の位置制御を行うため、記録する符号等の影響を受けることなく、常時安定的な位置制御を行うことができる。
【０２３５】
以上の構成によれば、第１の実施の形態による光ディスク装置２０の制御部２１は、光ディスク１００に対して情報を記録する際、２本の青色光ビームＬｂ１及びＬｂ２の焦点Ｆｂ１及びＦｂ２をいずれも第１目標マーク位置ＰＳ１に合わせ干渉させることにより第１記録マークＲＭ１を形成する一方、光ディスク１００から情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより、光ディスク１００の記録層１０１内の互いに異なる位置にある第１の記録マークＲＭ１及び第２の記録マークＲＭ２からそれぞれ青色再生光ビームＬｂ３及びＬｂ４を発生させて２系統の再生信号を得ることができ、これらを統合することにより２倍の再生速度でなる一つの再生信号を生成することができる。
【０２３６】
（２）第２の実施の形態
（２−１）光ディスクの構成
第２の実施の形態では、第１の実施の形態における光ディスク１００（図３及び図４）をそのまま用いるものの、記録マークＲＭの記録方式が第１の実施の形態と異なっている。
【０２３７】
すなわち第２の実施の形態では、事前のフォーマット処理として、第１面１００Ａ側及び第２面１００Ｂ側の双方から波長４０５［ｎｍ］でなる青色光ビームＬｂ１及びＬｂ２が全体的に照射されることにより、図１３（Ａ）に模式的に示すように、記録層１０１内には、ほぼ全体に渡って一様にホログラムが形成されるようになされている。
【０２３８】
この記録層１０１に対して、所定の強度でなる青色光ビームＬｂ１を集光して照射した場合、図１３（Ｂ）に模式的に示すように、当該青色光ビームＬｂ１の焦点Ｆｂ１近傍におけるホログラムが破壊され、ホログラムが破壊された部分でなる記録マークＲＭが形成される。
【０２３９】
この結果、図１３（Ｃ）に模式的に示すように、記録媒体１０１のうち記録マークＲＭが形成されていない箇所に対して、フォーマット時と同波長の青色光ビームＬｂ１が照射された場合、ホログラムとしての性質により、当該青色光ビームＬｂ１の照射箇所から再生光ビームＬｂ３が発生する。
【０２４０】
一方、記録マークＲＭが記録された箇所は、ホログラムが破壊されていることから、青色光ビームＬｂ１が照射されても、ホログラムとしての性質を呈さないこととなり、青色再生光ビームＬｂ３は発生しない。
【０２４１】
そこで、例えば情報を２進数表示したときの値「０」及び「１」を、それぞれ「記録マークＲＭなし（すなわちホログラム未破壊）」及び「記録マークＲＭあり（すなわちホログラム破壊済み）」に割り当てることにより、記録媒体Ｍに対して情報を記録し、また再生することが可能となる。因みにこの場合、第１の実施の形態と比較して、ホログラムの有無、すなわち青色再生光ビームの有無に対して、値「０」又は「１」が反対に対応付けられている。
【０２４２】
このようにホログラムを利用した情報の記録及び再生では、予めフォーマットされることにより全体的にホログラムが形成された上で、情報の記録及び再生のいずれにおいても、青色光ビームＬｂ１のように１本の光ビームが用いられるようになされている。
【０２４３】
（２−２）光ディスク装置の構成
次に、本実施の形態における光ディスク装置１２０について説明する。光ディスク装置１２０は、図６に示した第１の実施の形態における光ディスク装置２０と比較して、制御部２１に代えて制御部１２１を有し、光ピックアップ２６に代えて光ピックアップ１２６を有している点が異なるものの、他はほぼ同様に構成されている。
【０２４４】
制御部１２１は、制御部２１と同様、図示しないＣＰＵを中心に構成されており、図示しないＲＯＭから基本プログラムや情報記録プログラム等の各種プログラムを読み出し、これらを図示しないＲＡＭに展開することにより、情報記録処理等の各種処理を実行するようになされている。
【０２４５】
また光ディスク装置１２０は、第１の実施の形態における光ディスク装置２０と同様、制御部１２１によって光ピックアップ１２６を制御することにより、光ディスク２００の記録層１０１における目標トラックに対応する位置に情報を記録し、また当該目標トラックに対応する位置から情報を再生するようになされている。
【０２４６】
（２−３）光ピックアップの構成
次に、光ピックアップ１２６の構成について説明する。光ピックアップ１２６は、図７との対応部分に同一符号を付した図１４に示すように、光ピックアップ２６におけるレーザダイオード６１と同等のレーザダイオード１８１が追加されている点が大きく異なっている。
【０２４７】
すなわち光ピックアップ１２６は、光ピックアップ２６（図７）と比較して、第１面位置制御光学系３０及び第２面位置制御光学系５０については同様であるものの、第１面情報光学系６０及び第２面情報光学系８０に代えて、第１面情報光学系１６０及び第２面情報光学系１８０を有している。
【０２４８】
（２−３−１）第１面における青色光ビームの照射
第１の実施の形態と同様、第１面情報光学系６０のレーザダイオード６１は、波長約４０５［ｎｍ］の青色レーザ光を射出し得るようになされている。実際上レーザダイオード６１は、図１４と対応する図１５に示すように、制御部２１（図５）の制御に基づいて発散光でなる青色光ビームＬｂ１を発射し、コリメータレンズ６２へ入射させる。
【０２４９】
青色光ビームＬｂ１は、コリメータレンズ６２により発散光から平行光に変換され、１／２波長板６３により偏光方向が所定角度回転されて例えばｓ偏光とされた後、アナモプリズム６４により強度分布が整形された上で、偏光ビームスプリッタ６８の面６８Ｃに入射される。
【０２５０】
偏光ビームスプリッタ６８は、反射透過面６８Ｓにおいて、光ビームの偏光方向により異なる割合で当該光ビームを反射又は透過するようになされている。例えば反射透過面６８Ｓは、ｓ偏光の光ビームを反射すると共にｐ偏光の光ビームを透過するようになされている。
【０２５１】
実際上、偏光ビームスプリッタ６８は、反射透過面６８Ｓによりｓ偏光でなる青色光ビームＬｂ１を反射し、１／４波長板６９へ入射させる。１／４波長板６９は、青色光ビームＬｂ１を直線偏光（ｓ偏光）から円偏光（右円偏光）に変換させた上で、リレーレンズ７０へ入射させる。
【０２５２】
その後青色光ビームＬｂ１は、第１の実施の形態と同様の光路を経て対物レンズ３８から光ディスク１００の第１面１００Ａへ照射される。
【０２５３】
（２−３−２）第２面における青色光ビームの照射
第２面情報光学系１８０は、レーザダイオード６１、コリメータレンズ６２、１／２波長板６３、アナモプリズム６４及び偏光ビームスプリッタ６８とそれぞれ対応するレーザダイオード１８１、コリメータレンズ１８２、１／２波長板１８３、アナモプリズム１８４及び偏光ビームスプリッタ１８５を有している。
【０２５４】
図１４と対応する図１６に示すように、レーザダイオード１８１は、青色光ビームＬｂ２を出射し、コリメータレンズ１８２、１／２波長板１８３及びアナモプリズム１８４を順次介して偏光ビームスプリッタ１８５へ入射させる。このとき青色光ビームＬｂ２は、１／２波長板１８３により、例えばｐ偏光とされる。
【０２５５】
偏光ビームスプリッタ１８５は、反射透過面１８５Ｓにおいて、第１の実施の形態における偏光ビームスプリッタ８２の反射透過面８２Ｓと同様に、光ビームの偏光方向により異なる割合で当該光ビームを反射又は透過するようになされている。例えば反射透過面１８５Ｓは、ｓ偏光の光ビームを反射すると共にｐ偏光の光ビームを透過するようになされている。
【０２５６】
実際上、偏光ビームスプリッタ１８５は、反射透過面１８５Ｓによりｐ偏光でなる青色光ビームＬｂ２を透過し、１／４波長板８４へ入射させる。１／４波長板８４は、青色光ビームＬｂ２を直線偏光（ｐ偏光）から円偏光（左円偏光）に変換させた上で、リレーレンズ５３へ入射させる。
【０２５７】
その後青色光ビームＬｂ２は、第１の実施の形態と同様の光路を経て対物レンズ５１から光ディスク１００の第２面１００Ｂへ照射される。因みに青色光ビームＬｂ２は、第１の実施の形態と同様、円偏光（例えば右円偏光）となる。
【０２５８】
（２−３−３）第１面における青色光ビームの受光
光ディスク１００は、記録層１０１に第１記録マークＲＭ１が記録されておらずホログラムが残されている場合、上述したように、青色光ビームＬｂ１の焦点Ｆｂ１が第１目標マーク位置ＰＳ１に合焦されると、ホログラムとしての性質により、当該第１目標マーク位置ＰＳ１から青色再生光ビームＬｂ３を発生することになる。
【０２５９】
この青色再生光ビームＬｂ３は、最終的にフォトディテクタ７５へ照射される。フォトディテクタ７５は、青色再生光ビームＬｂ３の光量に応じた検出信号ＳＤ３を生成し、信号処理部２３（図５）へ供給する。信号処理部２３は、再生検出信号ＳＤ３に対して所定の復調処理や復号化処理等を施すことにより再生情報を生成し、この再生情報を制御部２１へ供給するようになされている。
【０２６０】
（２−３−４）第２面における青色光ビームの受光
一方、光ディスク１００は、記録層１０１に第２記録マークＲＭ２が記録されておらずホログラムが残されている場合、上述したように、青色光ビームＬｂ２の焦点Ｆｂ２が第２目標マーク位置ＰＳ２に合焦されると、ホログラムとしての性質により、当該第２目標マーク位置ＰＳ２から青色再生光ビームＬｂ４を発生することになる。
【０２６１】
この青色再生光ビームＬｂ４は、最終的にフォトディテクタ８７へ照射される。フォトディテクタ８７は、青色再生光ビームＬｂ４の光量に応じた検出信号ＳＤ４を生成し、信号処理部２３（図５）へ供給する。信号処理部２３は、再生検出信号ＳＤ４に対して所定の復調処理や復号化処理等を施すことにより再生情報を生成し、この再生情報を制御部２１へ供給するようになされている。
【０２６２】
（２−４）情報の記録及び再生
（２−４−１）光ディスクに対する情報の記録
光ディスク１００に情報を記録する場合、光ディスク装置１２０の制御部１２１（図５）は、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０２６３】
このとき駆動制御部２２は、第１の実施の形態と同様、光ピックアップ１２６の第１面位置制御光学系３０（図８）により赤色光ビームＬｒ１を光ディスク１００の第１面１００Ａ側から照射させ、その反射光である赤色反射光ビームＬｒ３の検出結果を基に、対物レンズ３８のフォーカス制御及びトラッキング制御（すなわち位置制御）を行うことにより、赤色光ビームＬｒ１の焦点Ｆｒを記録アドレス情報に対応した目標トラックに追従させる。
【０２６４】
このとき青色光ビームＬｂ１の焦点Ｆｂ１は、位置制御された対物レンズ３８によって集光されることにより、目標トラックの裏側に位置することになる。
【０２６５】
さらに制御部１２１は、リレーレンズ７０における可動レンズ７１の位置を調整することにより、当該焦点Ｆｂ１（図４（Ａ））の深さｄ１を目標深さに調整する。この結果、青色光ビームＬｂ１の焦点Ｆｂ１は、第１目標マーク位置ＰＳ１に合わされる。
【０２６６】
また制御部１２１は、第２面位置制御光学系５０（図８）により光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒと一致させる。
【０２６７】
このとき青色光ビームＬｂ２の焦点Ｆｂ２は、位置制御された対物レンズ５１によって集光されることにより、青色光ビームＬｂ１の焦点Ｆｂ１と同様、目標トラックの裏側に位置することになる。
【０２６８】
また制御部１２１は、リレーレンズ７０における可動レンズ７１の位置と独立してリレーレンズ５３における可動レンズ５４の位置を調整することにより、青色光ビームＬｂ２（図４（Ａ））の深さｄ２を調整する。この結果、青色光ビームＬｂ２の焦点Ｆｂ２は、第２目標マーク位置ＰＳ２に合わされる。
【０２６９】
この第２の実施の形態では、制御部１２１は、情報の記録時においてもリレーレンズ７０及び５３の可動レンズ７１及び５４の位置を互いに独立して調整するようになされている。
【０２７０】
この結果、光ディスク装置１２０の制御部１２１は、光ディスク１００の記録層１０１内において、青色光ビームＬｂ１により第１目標マーク位置ＰＳ１に第１記録マークＲＭ１を形成させることができると共に、これと並行して青色光ビームＬｂ２により第２目標マーク位置ＰＳ２に第２記録マークＲＭ２を形成させることができる。
【０２７１】
ところで信号処理部２３は、所定のデータ分割処理により記録情報を第１分割記録情報及び第２分割記録情報に分割し、各分割記録情報を構成するバイナリデータ（すなわち値「０」又は「１」）に対応する記録信号をそれぞれ生成して、レーザダイオード６１及び１８１へそれぞれ供給するようになされている。
【０２７２】
すなわちレーザダイオード６１は、第１分割記録情報が値「０」である時には青色光ビームＬｂ１を出射せず、第１分割記録情報が値「１」である時には青色光ビームＬｂ１を出射する。同様にレーザダイオード１８１は、第２分割記録情報が値「０」である時には青色光ビームＬｂ２を出射せず、第２分割記録情報が値「１」である時には青色光ビームＬｂ２を出射する。
【０２７３】
これにより光ディスク装置１２０は、光ディスク１００の記録層１０１内における第１目標マーク位置ＰＳ１に対し、第１分割記録情報が値「０」である時には何ら記録せずホログラムを残し、第１分割記録情報が値「１」のときには第１記録マークＲＭ１を記録することができ、これと並行して、第２目標マーク位置ＰＳ２に対し、第２分割記録情報が値「０」である時には何ら記録せずホログラムを残し、第２分割記録情報が値「１」のときには第２記録マークＲＭ２を記録することができる。
【０２７４】
因みに制御部１２１は、例えば光ディスク１００のＴＯＣ（Table of Contents）等に、情報を２つの記録マーク層に分割して記録していること（以下、これを分割記録と呼ぶ）及びマーク記録層の対応に関する情報等を管理情報として記録しておくようになされている。
【０２７５】
このように光ディスク装置１２０は、光ディスク１００の記録層１０１内において目標トラックに対応する２箇所の位置、すなわち第１目標マーク位置ＰＳ１及び第２目標マーク位置ＰＳ２に対し、記録情報を分割した２系統の分割記録情報として、互いに独立した第１記録マークＲＭ１及び第２記録マークＲＭ２を同時に記録し得るようになされている。
【０２７６】
（２−４−２）光ディスクからの情報の再生
光ディスク装置１２０の制御部１２１（図５）は、光ディスク１００から情報を再生する場合、情報の記録時と同様に、第１面位置制御光学系３０（図１４）により赤色光ビームＬｒ１を光ディスク１００の第１面１００Ａ側から照射させ、その反射光である赤色反射光ビームＬｒ３の検出結果を基に、駆動制御部２２により対物レンズ３８のフォーカス制御及びトラッキング制御（すなわち位置制御）を行わせる。
【０２７７】
また制御部１２１は、第２面位置制御光学系５０（図１４）により光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒ１と一致させる。
【０２７８】
ここで第１面情報光学系１６０及び第２面情報光学系１８０（図１５及び図１６）は、第１の実施の形態における情報光学系６０と同様、リレーレンズ７０における可動レンズ７１の位置を調整することにより、青色光ビームＬｂ１の焦点Ｆｂ１を第１目標マーク位置ＰＳ１に合わせ、同時にリレーレンズ５３における可動レンズ５４の位置をリレーレンズ７０における可動レンズ７１の位置と独立に調整して青色光ビームＬ２１の焦点Ｆｂ２を第２目標マーク位置ＰＳ２に合わせることにより、当該第１目標マーク位置ＰＳ１及び第２目標マーク位置ＰＳ２から、第１記録マークＲＭ１及び第２記録マークＲＭ２の有無に応じて、それぞれ青色再生光ビームＬｂ３及びＬｂ４を同時に発生させる。
【０２７９】
また第１面情報光学系１６０及び第２面情報光学系１８０は、フォトディテクタ７５及び８７により青色再生光ビームＬｂ３及びＬｂ４の光量をそれぞれ検出し、このとき検出した光量に応じて検出信号ＳＤ３及びＳＤ４をそれぞれ生成し、これらを信号処理部２３（図６）へ供給する。
【０２８０】
このように光ピックアップ１２６は、いわゆる参照光としての青色光ビームＬｂ１及びＬｂ２を、光ディスク１００の記録層１０１内における第１目標マーク位置ＰＳ１及び第２目標マーク位置ＰＳ２にそれぞれ合焦させることにより、第１記録マークＲＭ１又は第２記録マークＲＭ２が記録されていない場合に青色再生光ビームＬｂ３及びＬｂ４をそれぞれ発生させ、フォトディテクタ７５及び８７によりそれぞれの光量を検出し、検出信号ＳＤ３及びＳＤ４を生成し得るようになされている。
【０２８１】
これにより光ディスク装置１２０では、光ディスク１００の記録層１０１内の第１目標マーク位置ＰＳ１及び第２目標マーク位置ＰＳ２に第１記録マークＲＭ１又は第２記録マークＲＭ２が記録されているか否かに応じて、それぞれ情報として値「１」又は「０」のいずれが記録されているかを独立して認識することができる。
【０２８２】
また制御部１２１は、光ディスク１００に情報の分割記録が行われていた場合、第１の実施の形態と同様、所定の情報統合処理によって２種類の再生情報を一つの再生情報に統合した上で外部機器（図示せず）へ送出するようになされている。この結果、光ディスク装置１２０は、第１の実施の形態と同様、青色再生光ビームＬｂ３及びＬｂ４によりそれぞれ通常の再生速度で再生するだけで、見かけ上、２倍の再生速度を得ることができる。
【０２８３】
なお光ディスク装置１２０は、例えば制御部１２１の制御により、レーザダイオード７１から青色光ビームＬｂ２を出射させないことにより、敢えて青色光ビームＬｂ１および青色再生光ビームＬｂ３により得られる１系統の再生情報のみを基に情報を再生するようにしても良い。
【０２８４】
（２−５）動作及び効果
以上の構成において、第２の実施の形態による光ディスク装置１２０の制御部１２１は、光ディスク１００に情報を記録する際及び当該光ディスク１００から情報を再生する際、光ピックアップ１２６の第１面位置制御光学系３０（図１４）により赤色光ビームＬｒ１を光ディスク１００の第１面１００Ａ側から照射させ、その反射光である赤色反射光ビームＬｒ３の検出結果を基に、対物レンズ３８のフォーカス制御及びトラッキング制御（すなわち位置制御）を行うことにより、赤色光ビームＬｒ１の焦点Ｆｒを記録アドレス情報に対応した目標トラックに追従させる。
【０２８５】
また制御部１２１は、第２面位置制御光学系５０（図１４）により、光ディスク１００の第１面１００Ａ側から出射される赤色透過光ビームＬｒ２の検出結果を基に、対物レンズ５１のフォーカス制御及びトラッキング制御、並びにガルバノミラー５２によるタンジェンシャル制御を行うことにより、対物レンズ５１の赤色光ビームに関する焦点を、反射透過膜１０４における赤色光ビームＬｒ１の焦点Ｆｒと一致させる。
【０２８６】
さらに制御部１２１は、光ディスク１００に対して情報を記録する際、２本の青色光ビームＬｂ１（図１５）及びＬｂ２（図１６）を用い、リレーレンズ７０及び５３の可動レンズ７１及び５４の位置を互いに独立して制御し、当該青色光ビームＬｂ１及びＬｂ２の焦点Ｆｂ１及びＦｂ２をそれぞれ第１目標マーク位置ＰＳ１及び第２目標マーク位置ＰＳ２に合わせることにより（図４（Ｂ））、光ディスク１００の記録層１０１内に第１記録マークＲＭ１及び第２記録マークＲＭ２を並行して形成する。
【０２８７】
また制御部１２１は、光ディスク１００から情報を再生する際、リレーレンズ７０及び５３の可動レンズ７１及び５４の位置を互いに独立して制御し、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより（図４（Ｂ））、光ディスク１００の記録層１０１内において深さｄ１及びｄ２に位置する第１記録マークＲＭ１及び第２記録マークＲＭ２からそれぞれ青色再生光ビームＬｂ３及びＬｂ４を発生させる。
【０２８８】
従って光ディスク装置１２０の制御部１２１は、情報の記録時および再生時の双方において、光ディスク１００の目標トラックに対応し深さが互いに異なる２箇所の目標マーク位置に対して、互いに独立した２つの記録マークを同時に記録できると共に、当該２箇所の目標マーク位置から互いに独立した２系統の再生信号を得ることができる。
【０２８９】
このとき制御部１２１は、情報の記録時に記録情報を第１分割記録情報及び第２分割記録情報に分割してそれぞれ第１目標マーク位置ＰＳ１及び第２目標マーク位置ＰＳ２に記録し、また情報の再生時に第１目標マーク位置ＰＳ１及び第２目標マーク位置ＰＳ２からそれぞれ得られた検出信号ＳＤ３及びＳＤ４を統合し、２倍の再生速度でなる一つの再生信号を生成することにより、見かけ上、２倍の記録速度及び２倍の再生速度を得ることができる。
【０２９０】
これにより光ディスク装置２０は、光ディスク１００の物理的な強度や高速回転時における面ブレ等により光ディスク１００の回転速度に上限があり、また光学的制約や物理的制約等により記録マークＲＭの形成や読み出しに最小限必要な時間が必然的に定められてしまうような場合であっても、情報を２系統に分割して記録し、また２系統の情報を同時に読み出し統合することにより、見かけ上の記録速度及び再生速度を約２倍に向上させることができる。
【０２９１】
また光ディスク１００は、トラックが形成されている反射透過膜１０４が波長選択性を有するため、赤色光ビームＬｒ１を約半分の割合で反射すると共に約半分の割合で透過させることができ、さらに青色光ビームＬｂ１及びＬｂ２並びに青色再生光ビームＬｂ３及びＬｂ４を高い透過率で透過させることができる。
【０２９２】
これに応じて光ディスク装置１２０は、第１面位置制御光学系３０及び第２面位置制御光学系５０（図１４）により赤色反射光ビームＬｒ３及び赤色透過光ビームＬｒ２をそれぞれ受光することができ、赤色光ビームＬｒ１の焦点Ｆｒ及び対物レンズ５１の赤色光ビームに関する焦点をいずれも目標トラックに追従させるよう、対物レンズ３８及び５１を位置制御することができる。
【０２９３】
さらに光ディスク装置１２０は、第１の実施の形態における光ディスク装置２０と同様、赤色透過光ビームＬｒ２を用いて対物レンズ５１の位置制御を行うため、青色光ビームＬｂ１を用いる場合のように記録する符号等の影響を受けることなく、常時安定的な位置制御を行うことができる。
【０２９４】
以上の構成によれば、第２の実施の形態による光ディスク装置１２０の制御部１２１は、光ディスク１００に対して情報を記録する際、記録情報を分割し、各分割記録情報に基づいた青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせて第１記録マークＲＭ１及び第２記録マークＲＭ２を互いに独立して形成し、光ディスク１００から情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２記録マークＲＭ２の有無に応じて発生する青色再生光ビームＬｂ３及びＬｂ４を元に得られる再生信号を統合することにより、記録速度及び再生速度をいずれも高速化することができる。
【０２９５】
（３）他の実施の形態
なお上述した第２の実施の形態においては、光ディスク１００に対してフォーマットとして予めホログラムを全面に形成しておき、記録マークＲＭを記録して当該ホログラムを破壊することにより情報の記録を行うようにした場合について述べたが、本発明はこれに限らず、例えば図１７（Ａ）に示すように、一様な屈折率を持つフォトポリマでなる記録層に対して光ビームを集光することによりその屈折率又は反射率が変化して記録マークＲＭを形成し、図１７（Ｂ）に示すように、光ビームの屈折率又は反射率の変化を基に記録マークＲＭの有無を検出し得る光ディスク等、１本の光ビームにより記録マークＲＭの記録及び再生を行い得るとともに記録層内に複数のマーク記録層を重ねて形成し得る種々の光ディスクを用いるようにしても良い。
【０２９６】
この場合、光ディスクに照射する光ビームは、光ディスクの種類や記録方式等に合わせて適宜光量や照射時間等が調整されていれば良い。
【０２９７】
また上述した第２の実施の形態においては、２系統の青光路を介して２本の青色再生光ビームＬｂ３及びＬｂ４を発生させ、このとき得られた２系統の再生信号を統合して２倍の再生速度でなる一つの再生信号を生成するようにした場合について述べたが、本発明はこれに限らず、例えば３系統や４系統以上の青光路を設けるようにし、３本又は４本以上の青色再生光ビームを発生させて得られる３系統又は４系統以上の再生信号を統合して３倍や４倍以上の再生速度を得られるようにしても良い。
【０２９８】
この場合、各青光路にエキスパンダを設けて光ディスク１００へ照射する青色光ビームＬｂの焦点Ｆｂがそれぞれ異なる位置（深さ）となるように調整し得るようにし、またフォトディテクタの直前に設けたピンホール板により所望の青色再生光ビームのみの光量を検出し得るようにすれば良い。
【０２９９】
さらに上述した第１及び第２実施の形態においては、異なるマーク記録層に異なる情報を記録するようにした場合について述べたが、本発明はこれに限らず、例えば図１８に示すように、記録層１０１内において、対応する２つのマーク記録層、すなわちマスタレイヤＹＳ１、ＹＳ２、…及びミラーレイヤＹＲ１、ＹＲ２、…にそれぞれ同一の情報を記録しておき、再生時に対応するマスタレイヤＹＳ及びミラーレイヤＹＲから情報を順次読み出し、制御部２１及び１２１等において比較訂正処理を行うようにしても良い。
【０３００】
これにより、例えばマスタレイヤＹＳ又はミラーレイヤＹＲのいずれか一方におけるホログラム（すなわちフォーマットされた状態）や記録マークＲＭ等が何らかの要因により破壊され、或いはディスク１００のディフェクト等の存在により、検出信号ＳＤ３又はＳＤ４が異常な再生情報を表すものであったとしても、比較訂正処理において正しい情報に訂正できる可能性を高めることができる。
【０３０１】
さらに上述した第１及び第２実施の形態においては、リレーレンズ７０及び５３により、光ディスク１００内における目標マーク位置の深さ（すなわち反射透過膜１０４からの距離）を調整するようにした場合について述べたが、本発明はこれに限らず、例えば単一の集光レンズを移動させることにより当該目標マーク位置の深さを変更し、或いは対物レンズ３８及び５１のフォーカス制御を行うことにより当該目標マーク位置の深さを変更するなど、他の手法により当該目標マーク位置の深さを変更するようにしても良い。
【０３０２】
さらに上述した第１及び第２実施の形態においては、赤色光ビームＬｒ１と青色光ビームＬｂ１との光軸を一致させるようにした場合について述べたが、本発明はこれに限らず、例えば赤色光ビームＬｒ１と青色光ビームＬｂ１との光軸を所定角度傾け、光ディスク１００の第１面１００Ａ又は第２面１００Ｂから見て目標トラックと目標マーク位置とを意図的に一致させない（すなわちオフセットを設ける）ようにしても良い。
【０３０３】
さらに上述した第１及び第２の実施の形態においては、第１面位置制御光学系３０（図７及び図１４）において、非点収差法によりフォーカスエラー信号を生成するようにした場合について述べたが、本発明はこれに限らず、例えばナイフエッジ法やフーコー法等の他の手法によってフォーカスエラー信号を生成するようにしても良い。第２面位置制御光学系５０（図７及び図１４）におけるフォーカスエラー信号の生成についても同様である。
【０３０４】
また当該第１面位置制御光学系３０におけるトラッキングエラー信号の生成についても、プッシュプル法に限らず、３ビーム法や差動プッシュプル法等の他の手法により当該トラッキングエラー信号を生成するようにしても良い。また第２面位置制御光学系６０についても同様である。
【０３０５】
これらの場合、各エラー信号の生成手法に応じて、シリンドリカルレンズ４２及び５８に代えて回折格子等の光学素子が設けられれば良く、またフォトディテクタ４３及び５９については、各エラー信号の生成手法に対応した分割パターンで検出領域が分割されていれば良く、さらに信号処理部２３は、各エラー信号の生成手法に対応した演算処理を行うことにより各エラー信号を生成すれば良い。
【０３０６】
さらに上述した第１及び第２実施の形態においては、第１面位置制御光学系３０において、無偏光ビームスプリッタ３４により赤色光ビームＬｒ１を透過させ赤色反射光ビームＬｒ３を反射させるようにした場合について述べたが、本発明はこれに限らず、例えば偏光ビームスプリッタを用い、１／２波長板、１／４波長板等の組み合わせにより光ビームの偏光方向を適宜変化させた上で、当該赤色光ビームＬｒ１を透過させ当該赤色反射光ビームＬｒ３を反射させるようにしても良い。第２面位置制御光学系５０についても同様である。
【０３０７】
さらに上述した第１及び第２の実施の形態においては、光ディスク１００において反射透過膜１０４を記録層１０１と基板１０２との間に設けるようにした場合について述べたが、本発明はこれに限らず、例えば当該反射透過膜１０４を記録層１０１と基板１０３との間や、基板１０２の内部又は記録層１０１の内部等のような他の箇所に設けるようにしても良い。
【０３０８】
さらに上述した第１及び第２の実施の形態においては、対物レンズ３８及び５１の位置制御を行うための光ビーム（これを位置制御光ビームと呼ぶ）を波長約６６０［ｎｍ］の赤色光ビームとし、記録マークＲＭを形成するための光ビーム（これを記録光ビームと呼ぶ）を波長約４０５［ｎｍ］の青色光ビームとするようにした場合について述べたが、本発明はこれに限らず、位置制御光ビーム及び記録光ビームをそれぞれ任意の波長としても良い。
【０３０９】
この場合、反射透過膜１０４としては、位置制御光ビームをその波長に応じて約半分ずつの割合で反射及び透過し、記録光ビームをその波長に応じて透過する性質を有していればよい。また記録層１０１は、記録光ビームの波長に反応する材料であれば良い。
【０３１０】
因みに記録光ビームの波長を変更した場合、上述した（１）式及び（２）式に示したように、記録マークＲＭのサイズが変化するため、記録マークＲＭ間の距離ｐ１、トラック間の距離ｐ２及びマーク記録層同士の距離ｐ３についても適宜変更することが好ましい。
【０３１１】
さらに上述した第１及び第２の実施の形態においては、反射透過膜１０４が波長選択性を有することにより、波長約６６０［ｎｍ］でなる位置制御光ビームを反射すると共に波長約４０５［ｎｍ］でなる記録光ビームを透過するようにした場合について述べたが、本発明はこれに限らず、例えば反射透過膜１０４が偏光選択性を有するようにし、位置制御光ビームの偏光方向と記録光ビームの偏光方向とを相違させることにより、位置制御光ビームを反射し記録光ビームを透過するようにしても良い。
【０３１２】
さらに上述した実施の形態においては、光ディスク１００の直径を約１２０［ｍｍ］、記録層１０１の厚さｔ１を約０．３［ｍｍ］、基板１０２及び１０３の厚さｔ２及びｔ３を約０．６［ｍｍ］とするようにした場合について述べたが、本発明はこれに限らず、それぞれ他の値であっても良い。この場合、記録層１０１並びに基板１０２及び１０３の厚さと各材料の屈折率等を考慮した上で、青色光ビームＬｂ１及びＬｂ２の焦点が目標マーク位置に合わされるよう、各光学部品の光学特性や配置等が設定されていれば良い。
【０３１３】
さらに上述した実施の形態においては、第１の焦点位置調整手段としてのエキスパンダ７０及び制御部２１と、第２の焦点位置調整手段としてのエキスパンダ５３及び制御部２１と、制御手段としての制御部２１と、第１及び第２の検出手段としてのフォトディテクタ７５及び８７と、再生信号生成手段としての制御部２１及び信号処理部２３とによって
光ディスク装置としての光ディスク装置２０を構成する場合について述べたが、本発明はこれに限らず、その他種々の回路構成でなる第１の焦点位置調整手段と、第２の焦点位置調整手段と、制御手段と、第１及び第２の検出手段と、再生信号生成手段とによって光ディスク装置を構成するようにしても良い。
【産業上の利用可能性】
【０３１４】
本発明は、記録媒体としての光ディスクに音楽コンテンツや映像コンテンツ或いは各種データ等を大量に記録する光ディスク装置において利用することができる。
【図面の簡単な説明】
【０３１５】
【図１】従来の定在波記録型光ディスク装置の構成を示す略線図である。
【図２】ホログラムの形成の様子を示す略線図である。
【図３】本発明の一実施形態による光ディスクの外観構成を示す略線図である。
【図４】第１の実施の形態による光ディスクの内部構成を示す略線図である。
【図５】本発明の一実施形態による光ディスク装置の構成を示す略線図である。
【図６】光ピックアップの外観構成を示す略線図である。
【図７】第１の実施の形態による光ピックアップの構成を示す略線図である。
【図８】第１の実施の形態による赤色光ビームの光路を示す略線図である。
【図９】フォトディテクタにおける検出領域の構成を示す略線図である。
【図１０】第１の実施の形態による青色光ビームの光路（１）を示す略線図である。
【図１１】第１の実施の形態による青色光ビームの光路（２）を示す略線図である。
【図１２】ピンホールによる光ビームの選別の説明に供する略線図である。
【図１３】第２の実施の形態による情報の記録再生原理を示す略線図である。
【図１４】第２の実施の形態による光ピックアップの構成を示す略線図である。
【図１５】第２の実施の形態による青色光ビームの光路（１）を示す略線図である。
【図１６】第２の実施の形態による青色光ビームの光路（２）を示す略線図である。
【図１７】他の実施の形態による情報の記録再生原理を示す略線図である。
【図１８】ミラーリング記録におけるマーク記録層の構成を示す略線図である。
【符号の説明】
【０３１６】
２０、１２０……光ディスク装置、２１、１２１……制御部、２２……駆動制御部、２３……信号処理部、２６、１２６……光ピックアップ、３０……第１面位置制御光学系、３１、６１、１８１……レーザダイオード、３４……無偏光ビームスプリッタ、３７、５６……ダイクロックプリズム、３８、５１……対物レンズ、３８Ａ、５１Ａ、５４Ａ、７１Ａ……アクチュエータ、４３、５９、７５、８７……フォトディテクタ、５０……第２面位置制御光学系、５２……ガルバノミラー、５３、７０……リレーレンズ、５４、７１……可動レンズ、６０……第１面情報光学系、６５、６８、８２、１８５……偏光ビームスプリッタ、６６……１／４波長板、６７……可動ミラー、７４、８６……ピンホール板、８０……第２面情報光学系、８１……シャッタ、１００……光ディスク、１０１……記録層、１０２、１０３……基板、１０４……反射透過膜、Ｌｒ１……赤色光ビーム、Ｌｒ２……赤色透過光ビーム、Ｌｒ３……赤色反射光ビーム、Ｌｂ０、Ｌｂ１、Ｌｂ２……青色光ビーム、Ｌｂ３、Ｌｂ４……青色再生光ビーム、Ｆｒ、Ｆｂ１、Ｆｂ２……焦点、ＲＭ、ＲＭ１、ＲＭ２……記録マーク。
【図１】
2008251132.tif 000010
【図２】
2008251132.tif 000011
【図３】
2008251132.tif 000012
【図４】
2008251132.tif 000013
【図５】
2008251132.tif 000014
【図６】
2008251132.tif 000015
【図７】
2008251132.tif 000016
【図８】
2008251132.tif 000017
【図９】
2008251132.tif 000018
【図１０】
2008251132.tif 000019
【図１１】
2008251132.tif 000020
【図１２】
2008251132.tif 000021
【図１３】
2008251132.tif 000022
【図１４】
2008251132.tif 000023
【図１５】
2008251132.tif 000024
【図１６】
2008251132.tif 000025
【図１７】
2008251132.tif 000026
【図１８】
2008251132.tif 000027